(57)【要約】  本開示は、使い捨て着用可能吸収性物品が、吸収性コア及び側部固定サブシステムを有する側部を含む、実施形態を含む。側部固定サブシステムは、吸収性コアを物品の着用者に間接的に固定するように構成される。側部は、側部固定サブシステムの実質的に全部が側部と一体である第１部分、及び第１部分の外側にある第２部分を含む。
2010537765.tif 000002
【特許請求の範囲】
【請求項１】
使い捨て着用可能吸収性物品（図１Ａ〜１Ｃの＃１１０、図２Ａ〜２Ｃの＃２１０、図２Ｄの＃２１０−Ｄ、図３Ａ〜３Ｃの＃３１０、図４Ａ〜４Ｃの＃４１０、図５Ａ〜５Ｃの＃５１０、図６Ａ〜６Ｃの＃６１０、図７Ａ〜７Ｃの＃７１０、図８Ａ〜８Ｃの＃８１０、図９Ａ〜９Ｃの＃９１０、図１１Ａの＃１１１０）であって、側部（図１Ａの＃１３１、１３９、１４１、１４９、図１Ｂ〜１Ｃの＃１３１、１３９、図２Ａの＃２８１、２８９、２９１、２９９、図２Ｂ〜２Ｄの＃２８１、２８９、図３Ａの＃３８１、３８９、３９１、３９９、図３Ｂ〜３Ｃの＃３８１、３８９、図４Ａの＃４３１、４３９、４４１、４４９、図４Ｂ〜４Ｃの＃４３１、４３９、図５Ａの＃５８１、５８９、５９１、５９９、図５Ｂ〜５Ｃの＃５８１、５８９、図６Ａの＃６８１、６８９、６９１、６９９、図６Ｂ〜６Ｃの＃６８１、６８９、図７Ａの＃７３１、７３９、７４１、７４９、図７Ｂ〜７Ｃの＃７３１、７３９、図８Ａの＃８８１、８８９、８９１、８９９、図８Ｂ〜８Ｃの＃８８１、８８９、図９Ａの＃９８１、９８９、９９１、９９９、図９Ｂ〜９Ｃの＃９８１、９８９、図１１Ａ〜１１Ｂの＃１１３０）を備え、更に、
第１中央部（図１Ａ〜１Ｃの＃１５５、図２Ａ〜２Ｄの＃２５５、図３Ａ〜３Ｃの＃３５５、図４Ａ〜４Ｃの＃４５５、図５Ａ〜５Ｃの＃５５５、図６Ａ〜６Ｃの＃６５５、図７Ａ〜７Ｃの＃７５５、図８Ａ〜８Ｃの＃８５５、図９Ａ〜９Ｃの＃９５５）を有し、第１通路（図１Ａ、１Ｃの＃１５１、図２Ａ、２Ｃの＃２５１、図３Ａ、３Ｃの＃３５１、図４Ａ、４Ｃの＃４５１、図５Ａ、５Ｃの＃５５１、図６Ａ、６Ｃの＃６５１、図７Ａ、７Ｃの＃７５１、図８Ａ、８Ｃの＃８５１、図９Ａ、９Ｃの＃９５１）に沿って配置される、第１側部固定部材（図１Ａ〜１Ｃの＃１５０、図２Ａ〜２Ｄの＃２５０、図３Ａ〜３Ｃの＃３５０、図４Ａ〜４Ｃの＃４５０、図５Ａ〜５Ｃの＃５５０、図６Ａ〜６Ｃの＃６５０、図７Ａ〜７Ｃの＃７５０、図８Ａ〜８Ｃの＃８５０、図９Ａ〜９Ｃの＃９５０、図１１Ｆの＃１１５０）と、第２中央部（図１Ａ〜１Ｃの＃１６５、図２Ａ〜２Ｄの＃２６５、図３Ａ〜３Ｃの＃３６５、図４Ａ〜４Ｃの＃４６５、図５Ａ〜５Ｃの＃５６５、図６Ａ〜６Ｃの＃６６５、図７Ａ〜７Ｃの＃７６５、図８Ａ〜８Ｃの＃８６５、図９Ａ〜９Ｃの＃９６５）を有し、第２通路（図１Ａ、１Ｃの＃１６１、図２Ａ、２Ｃの＃２６１、図３Ａ、３Ｃの＃３６１、図４Ａ、４Ｃの＃４６１、図５Ａ、５Ｃの＃５６１、図６Ａ、６Ｃの＃６６１、図７Ａ、７Ｃの＃７６１、図８Ａ、８Ｃの＃８６１、図９Ａ，９Ｃの＃９６１）に沿って配置される、第２側部固定部材（図１Ａ〜１Ｃの＃１６０、図２Ａ〜２Ｄの＃２６０、図３Ａ〜３Ｃの＃３６０、図４Ａ〜４Ｃの＃４６０、図５Ａ〜５Ｃの＃５６０、図６Ａ〜６Ｃの＃６６０、図７Ａ〜７Ｃの＃７６０、図８Ａ〜８Ｃの＃８６０、図９Ａ〜９Ｃの＃９６０、図１１Ｆの＃１１６０）とを含む、固定サブシステム（図１Ａ〜１Ｃの＃１７０、図２Ａ〜２Ｄの＃２７０、図３Ａ〜３Ｃの＃３７０、図４Ａ〜４Ｃの＃４７０、図５Ａ〜５Ｃの＃５７０、図６Ａ〜６Ｃの＃６７０、図７Ａ〜７Ｃの＃７７０、図８Ａ〜８Ｃの＃８７０、図９Ａ〜９Ｃの＃９７０）を備え、
前記第１中央部の少なくとも一部が、前記第２中央部の少なくとも一部と同一の広がりを持ち、前記第１通路の少なくとも一部が、前記第２通路の少なくとも一部と別個である、ことを特徴とする使い捨て着用可能吸収性物品。
【請求項２】
第１半体（図１Ａ〜１Ｃの＃１２３又は１２７、図２Ａ〜２Ｄの＃２２３又は２２７、図３Ａ〜３Ｃの＃３２３又は３２７、図４Ａ〜４Ｃの＃４２３又は４２７、図５Ａ〜５Ｃの＃５２３又は５２７、図６Ａ〜６Ｃの＃６２３又は６２７、図７Ａ〜７Ｃの＃７２３又は７２７、図８Ａ〜８Ｃの＃８２３又は８２７、図９Ａ〜９Ｃの＃９２３又は９２７、図１１Ａの＃１１２３又は１１２７）と、
第２半体（図１Ａ〜１Ｃの＃１２３又は１２７、図２Ａ〜２Ｄの＃２２３又は２２７、図３Ａ〜３Ｃの＃３２３又は３２７、図４Ａ〜４Ｃの＃４２３又は４２７、図５Ａ〜５Ｃの＃５２３又は５２７、図６Ａ〜６Ｃの＃６２３又は６２７、図７Ａ〜７Ｃの＃７２３又は７２７、図８Ａ〜８Ｃの＃８２３又は８２７、図９Ａ〜９Ｃの＃９２３又は９２７、図１１Ａの＃１１２３又は１１２７）と、
吸収性コア領域（図１Ａの＃１２６、図２Ａの＃２２６、図３Ａの＃３２６、図４Ａの＃４２６、図５Ａの＃５２６、図６Ａの＃６２６、図７Ａの＃７２６、図８Ａの＃８２６、図９Ａの＃９２６）と、を含み、
前記第１側部固定部材は、前記吸収性コア領域の外側にある前記第１半体に配置される第１端部（図１Ａ、１Ｃの＃１５３、図２Ａ，２Ｃの＃２５３、図３Ａ、３Ｃの＃３５３、図４Ａ、４Ｃの＃４５３、図５Ａ、５Ｃの＃５５３、図６Ａ、６Ｃの＃６５３、図７Ａ、７Ｃの＃７５３、図８Ａ、８Ｃの＃８５３、図９Ａ、９Ｃの＃９５３）と、前記第２半体に配置される第２端部（図１Ａ、１Ｃの＃１５９、図２Ａ、２Ｃの＃２５９、図３Ａ、３Ｃの＃３５９、図４Ａ、４Ｃの＃４５９、図５Ａ、５Ｃの＃５５９、図６Ａ、６Ｃの＃６５９、図７Ａ、７Ｃの＃７５９、図８Ａ，８Ｃの＃８５９、図９Ａ、９Ｃの＃９５９）と、を含み、
前記第２側部固定部材は、前記第１半体に配置される第３端部（図１Ａ、１Ｃの＃１６３、図２Ａ、２Ｃの＃２６３、図３Ａ、３Ｃの＃３６３、図４Ａ、４Ｃの＃４６３、図５Ａ、５Ｃの＃５６３、図６Ａ、６Ｃの＃６６３、図７Ａ、７Ｃの＃７６３、図８Ａ、８Ｃの＃８６３、図９Ａ、９Ｃの＃９６３）と、前記第２半体に配置される第４端部（図１Ａ、１Ｃの＃１６９、図２Ａ、２Ｃの＃２６９、図３Ａ、３Ｃ＃３６９、図４Ａ、４Ｃの＃４６９、図５Ａ、５Ｃの＃５６９、図６Ａ、６Ｃの＃６６９、図７Ａ、７Ｃの＃７６９、図８Ａ、８Ｃの＃８６９、図９Ａ、９Ｃの＃９６９）と、を含む、請求項１に記載の使い捨て着用可能吸収性物品。
【請求項３】
前記第１端部は、前記第１部分の第１位置（図１Ａ、１Ｃの＃１５２、図２Ａ、２Ｃの＃２５２、図３Ａ、３Ｃの＃３５２、図４Ａ、４Ｃの＃４５２、図５Ａ、５Ｃの＃５５２、図６Ａ、６Ｃの＃６５２、図７Ａ、７Ｃの＃７５２、図９Ａ、９Ｃの＃９５２）に配置され、
前記第３端部は、前記第１部分における、前記第１位置の長手方向内側にある第３位置（図１Ａ、１Ｃの＃１６２、図２Ａ、２Ｃの＃２６２、図３Ａ、３Ｃの＃３６２、図４Ａ、４Ｃの＃４６２、図５Ａ、５Ｃの＃５６２、図６Ａ、６Ｃの＃６６２、図７Ａ、７Ｃの＃７６２、図９Ａ、９Ｃの＃９６２）に配置される、請求項２に記載の使い捨て着用可能吸収性物品。
【請求項４】
前記第１端部は、第１部分の前記第１位置（図８Ａ、８Ｃの＃８５２）に配置され、
前記第３端部は、前記第１部分における、前記第１位置と少なくとも部分的に重複する第３位置（図８Ａ、８Ｃの＃８６２）に配置される、請求項２に記載の使い捨て着用可能吸収性物品。
【請求項５】
前記第２端部は、前記第２部分の第２位置（図１Ａ、１Ｃの＃１５８、図２Ａ、２Ｃの＃２５８、図３Ａ、３Ｃの＃３５８、図４Ａ、４Ｃの＃４５８、図５Ａ、５Ｃの＃５５８、図６Ａ、６Ｃの＃６５８、図８Ａ、８Ｃの＃８５８、図９Ａ、９Ｃの＃９５８）に配置され、
前記第４端部は、前記第２部分における、前記第２位置から長手方向外側にある第４位置（図１Ａ、１Ｃの＃１６８、図２Ａ、２Ｃの＃２６８、図３Ａ、３Ｃの＃３６８、図４Ａ、４Ｃの＃４６８、図５Ａ、５Ｃの＃５６８、図６Ａ、６Ｃの＃６６８、図８Ａ、８Ｃの＃８６８、図９Ａ、９Ｃの＃９６８）に配置される、請求項２に記載の使い捨て着用可能吸収性物品。
【請求項６】
前記第２端部は、第２部分の前記第２位置（図７Ａ、７Ｃの＃７５２）に配置され、
前記第４端部は、前記第２部分における、前記第２位置と少なくとも部分的に重複する第４位置（図７Ａ、７Ｃの＃７６２）に配置される、請求項２に記載の使い捨て着用可能吸収性物品。
【請求項７】
前記側部は、側部固定サブシステムである前記固定サブシステムを含む、請求項２に記載の使い捨て着用可能吸収性物品。
【請求項８】
前記側部固定部材の少なくとも１つの少なくとも一部は、前記側部に埋め込まれる、請求項２に記載の使い捨て着用可能吸収性物品。
【請求項９】
前記側部固定部材の少なくとも１つの少なくとも一部は、前記側部と一体である、請求項２に記載の使い捨て着用可能吸収性物品。
【請求項１０】
前記側部固定部材の少なくとも１つは、測地線として構成される、請求項２に記載の使い捨て着用可能吸収性物品。
【発明の詳細な説明】
【技術分野】
【０００１】
概して本開示の実施形態は、使い捨て着用可能吸収性物品に関する。特に、本開示の実施形態は、固定サブシステムを有する使い捨て着用可能吸収性物品に関する。
【背景技術】
【０００２】
使い捨て着用可能吸収性物品としては、使い捨ておむつ及び使い捨て失禁用下着が挙げられる。使い捨て着用可能吸収性物品は、着用者により着用されている間、体外排泄物を受容し収容することができる。そのような物品は、数多くの構成で種々の材料により作製できる。使い捨て着用可能吸収性物品の設計は、物品を着用者に合わせる方法に影響を及ぼす可能性がある。残念ながら、一部の使い捨て着用可能吸収性物品は、着用者に不完全にフィットする。例として、いくつかの使い捨て着用可能吸収性物品は、着用者が着用したとき、たるむか又は滑り落ちる場合がある。着用者が着用したときたるみ又は滑り落ちる使い捨て着用可能吸収性物品は、窮屈に感じ、魅力なく見え、物品が漏れを生じやすいため不十分に機能する可能性がある。
【図面の簡単な説明】
【０００３】
【図１Ａ】本開示の実施形態による、交差側部固定部材を有する固定サブシステムを含む、パンツ型使い捨て着用可能吸収性物品の内側の平面図。
【図１Ｂ】着用のために形成される、図１Ａの実施形態の使い捨て着用可能吸収性物品の外側の斜視図。
【図１Ｃ】図１Ｂの実施形態の使い捨て着用可能吸収性物品の側部の一部の拡大図。
【図２Ａ】本開示の実施形態による、交差側部固定部材、及びそれぞれ１つの締結具を有する側部耳部を有する固定サブシステムを含む、締結可能な使い捨て着用可能吸収性物品の内側の平面図。
【図２Ｂ】着用のために形成される、図２Ａの実施形態の使い捨て着用可能吸収性物品の外側の斜視図。
【図２Ｃ】図２Ｂの実施形態の使い捨て着用可能吸収性物品の側部の一部の拡大図。
【図２Ｄ】本開示の実施形態による、交差側部固定部材、及びそれぞれ第１締結具及び第２受動的締結具を有する側部耳部を有する固定サブシステムを含む、締結可能な使い捨て着用可能吸収性物品の外側の斜視図。
【図３Ａ】本開示の実施形態による、交差側部固定部材、及びそれぞれ２つの締結具を有する側部耳部を有する固定サブシステムを含む、締結可能な使い捨て着用可能吸収性物品の内側の平面図。
【図３Ｂ】着用のために形成される、図３Ａの実施形態の使い捨て着用可能吸収性物品の外側の斜視図。
【図３Ｃ】図３Ｂの実施形態の使い捨て着用可能吸収性物品の側部の一部の拡大図。
【図４Ａ】本開示の実施形態による、部分的に同一の広がりを持つ側部固定部材を有する固定サブシステムを含む、パンツ型使い捨て着用可能吸収性物品の内側の平面図。
【図４Ｂ】着用のために形成される、図４Ａの実施形態の使い捨て着用可能吸収性物品の外側の斜視図。
【図４Ｃ】図４Ｂの実施形態の使い捨て着用可能吸収性物品の側部の一部の拡大図。
【図５Ａ】本開示の実施形態による、部分的に同一の広がりを持つ側部固定部材、及びそれぞれ１つの締結具を有する側部耳部を有する固定サブシステムを含む、締結可能な使い捨て着用可能吸収性物品の内側の平面図。
【図５Ｂ】着用のために形成される、図５Ａの実施形態の使い捨て着用可能吸収性物品の外側の斜視図。
【図５Ｃ】図５Ｂの実施形態の使い捨て着用可能吸収性物品の側部の一部の拡大図。
【図６Ａ】本開示の実施形態による、部分的に同一の広がりを持つ側部固定部材、及びそれぞれ２つの締結具を有する側部耳部を有する固定サブシステムを含む、締結可能な使い捨て着用可能吸収性物品の内側の平面図。
【図６Ｂ】着用のために形成される、図６Ａの実施形態の使い捨て着用可能吸収性物品の外側の斜視図。
【図６Ｃ】図６Ｂの実施形態の使い捨て着用可能吸収性物品の側部の一部の拡大図。
【図７Ａ】本開示の実施形態による、部分的に同一の広がりを持ち、部分的に同一延長上にある、側部固定部材を有する固定サブシステムを含む、パンツ型使い捨て着用可能吸収性物品の内側の平面図。
【図７Ｂ】着用のために形成される、図７Ａの実施形態の使い捨て着用可能吸収性物品の外側の斜視図。
【図７Ｃ】図７Ｂの実施形態の使い捨て着用可能吸収性物品の側部の一部の拡大図。
【図８Ａ】本開示の実施形態による、部分的に同一の広がりを持ち、部分的に同一延長上の側部固定部材及びそれぞれ１つの締結具を有する側部耳部を有する固定サブシステムを含む、締結可能な使い捨て着用可能吸収性物品の内側の平面図。
【図８Ｂ】着用のために形成される、図８Ａの実施形態の使い捨て着用可能吸収性物品の外側の斜視図。
【図８Ｃ】図８Ｂの実施形態の使い捨て着用可能吸収性物品の側部の一部の拡大図。
【図９Ａ】本開示の実施形態による、部分的に同一の広がりを持ち、部分的に同一延長上の側部固定部材、及びそれぞれ２つの締結具を有する側部耳部を有する固定サブシステムを含む、締結可能な使い捨て着用可能吸収性物品の内側の平面図。
【図９Ｂ】着用のために形成される、図９Ａの実施形態の使い捨て着用可能吸収性物品の外側の斜視図。
【図９Ｃ】図９Ｂの実施形態の使い捨て着用可能吸収性物品の側部の一部の拡大図。
【図１０Ａ】本開示の実施形態による、使い捨て着用可能吸収性物品の側部の固定サブシステムでの使用のための、漸増的な伸張の第１実施形態。
【図１０Ｂ】本開示の実施形態による、使い捨て着用可能吸収性物品の側部の固定サブシステムでの使用のための、漸増的な伸張の第２実施形態。
【図１０Ｃ】本開示の実施形態による、使い捨て着用可能吸収性物品の側部の固定サブシステムでの使用のための、漸増的な伸張の第３実施形態。
【図１１Ａ】本開示の実施形態により、着用のために形成される、パンツ型使い捨て着用可能吸収性物品の外側の斜視図。
【図１１Ｂ】本開示の実施形態による、弾性率マッピング方法による試験のために、物品から切り取られ、マップでマークをつけられた、図１１Ａの実施形態の使い捨て着用可能吸収性物品の第１サイドパネルの拡大図。
【図１１Ｃ】本開示の実施形態による、弾性率マッピング方法での使用のための改善された空気式グリップ。
【図１１Ｄ】本開示の実施形態による、図１１Ｂの実施形態のマップの正方形の弾性率の代表的なグラフ。
【図１１Ｅ】本開示の実施形態による、図１１Ｂの実施形態のマップの各正方形に関して、弾性率マッピング方法試験から得られ、記録された、弾性率値を有する代表的な表。
【図１１Ｆ】本開示の実施形態による、図１１Ｅの実施形態の表の弾性率値の、代表的な表面輪郭プロット。
【発明を実施するための形態】
【０００４】
本開示の実施形態は、着用者に適切にフィットする固定サブシステムを有する使い捨て着用可能吸収性物品を含む。これらの物品の設計は、着用者が着用したとき物品がたるみ又は滑り落ちることを防止することを助ける。その結果、本開示の使い捨て着用可能吸収性物品は、着用者が着用したときに、適所に留まり、漏れない傾向にあるため、快適な感じがし、魅力的に見え、かつ良好に機能することができる。
【０００５】
本開示の実施形態は、使い捨て着用可能吸収性物品を含む。本開示全体を通して、用語「使い捨て着用可能吸収性物品」とは、着用者の人体の下部胴体に着用されるように設計され、体からの身体排泄物（例えば、尿及び糞便）を受容及び収容するように構成され、かつ着用者によって１回の使用後に部分的に又は全体的に処分されるように設計された物品を指す。したがって、使い捨て着用可能吸収性物品は、汚れた物品又は物品の汚れた部分が復元若しくは再使用されることを意図されていない（例えば、洗濯されることを意図されていない）ように構成される。使い捨て着用可能吸収性物品の例としては、使い捨ておむつ、使い捨て失禁用下着などが挙げられる。使い捨て着用可能吸収性物品は、パンツ型構成又は締結可能構成など、様々な方法で構成され得る。
【０００６】
本開示の実施形態では、使い捨て着用可能吸収性物品は、吸収性コアを含むことができる。本開示全体を通して、用語「吸収性コア」とは、着用者の体から物品に受容される排泄物を吸収するように構成された使い捨て着用可能吸収性物品の一部を指す。吸収性コアは、当業者により理解されるであろう種々の方法で構成されることができる。吸収性コアの例としては、吸収性コア組立品（１つ以上の任意のコア構造体を有する）、バケツ形状の吸収性コア、取り外し可能な及び／又は交換可能な吸収性コア等が挙げられる。
【０００７】
使い捨て着用可能吸収性物品を着用者に定置する際、該物品は、着用者を基準にして初期位置に定置される。この初期位置の位置は、物品の寸法、着用者の体の形状、及び物品が着用者に定置される方法などの多くの要因により決めることができる。例えば、締結可能なおむつの初期位置は、おむつが着用者のまわりに締結される位置によってある程度決めることができる。しかし、使い捨て着用可能吸収性物品が着用者によって着用されるとき、多くの力が物品に影響を及ぼし得る。
【０００８】
これらの力の一部は、物品を着用者に接して動かす傾向を持ち得る。本開示全体を通じ、用語「負荷」とは、着用者が着用したとき、使い捨て着用可能吸収性物品をずれた位置に移動させる傾向のある力を指す。第１に、使い捨て着用可能吸収性物品は、物品の着用者への装着に由来する種々の負荷を受けることができる。例として、物品を締結することに由来する一部のあらかじめ加えられた力は、物品を下方に動かすことができる。第２に、使い捨て着用可能吸収性物品は、物品の環境に由来する様々な負荷を受けることができる。例えば、着用者の衣類は、物品を着用することができる。第３に、使い捨て着用可能吸収性物品は、着用者の動きに由来する様々な負荷を受けることができる。例えば、着用者が位置を変える又は動き回るとき、着用者の体が物品の一部を押すか、又は物品に動的な力をもたらし得る。第４に、重力は、使い捨て着用可能吸収性物品を着用者に対して下に動かすことができる。物品は、物品の質量並びに物品に収容された任意の体外排泄物の質量により重力に由来する有意な負荷を受けることがある。これらの負荷は、使い捨て着用可能吸収性物品に影響を及ぼすことができ、着用者に対して物品を動かす傾向がある。
【０００９】
しかし、使い捨て着用可能吸収性物品に影響を及ぼす他の力は、物品を着用者の所定の位置に保持する傾向があり得る。第１に、使い捨て着用可能吸収性物品は、物品の着用者への装着に由来する様々な保持力を受けることができる。例として、物品を締結することに由来する他のあらかじめ加えられた力は、物品を上方に動かすことができる。第２に、使い捨て着用可能吸収性物品の一部は、着用者の皮膚との接触に由来する摩擦推力を受けることができる。例えば、物品は、物品のウエストバンドが着用者の腰部まわりに及びそれに対して巻き付く場合、摩擦推力を受けることができる。第３に、使い捨て着用可能吸収性物品の一部は、着用者の体の様々な外面の解剖学的特徴との接触に由来する反作用の力を受けることができる。例として、物品は、物品が着用者の尻部の突出した部分と接触する場合、反作用の力を受けることができる。この例では、反作用の力は、物品を押し上げることにより重力に逆らって反応する。これらの保持力は、使い捨て着用可能吸収性物品に影響を及ぼすことができ、物品を着用者の所定の位置に保持する傾向がある。
【００１０】
一部の力は使い捨て着用可能吸収性物品を着用者に対して下方に移動させる傾向があり、他の力は使い捨て着用可能吸収性物品を着用者に対して上方に移動させる傾向があるので、物品の一部又は全部は、そのような力が均衡するかどうかにより移動され又は移動されない場合がある。物品を上方に保持する傾向がある力を物品を下方に移動する傾向がある力と等しくできる場合、物品は、着用者の所定の位置にそのままであることができる。物品を下方に移動する傾向がある力が物品を上方に保持する傾向がある力より大きい場合、物品の一部又は全部は、着用者に対して下方に移動させることができる。時として、力が使い捨て着用可能吸収性物品の一部又は全部を下方に移動させる可能性があり、その結果たるみ及び／又は滑り落ちが生じる。
【００１１】
しかし、本開示の実施形態は、着用者が着用したときに、使い捨て着用可能吸収性物品がたるみ又は滑り落ちるのを防止するのを助けることができる。使い捨て着用可能吸収性物品は、固定サブシステムを含むことができる。様々な実施形態では、固定サブシステムは、物品に作用する負荷の少なくとも一部を収集するように構成され得る。固定サブシステムはまた、それ自体を着用者の体に固定するように構成され得る。このように、固定サブシステムは、固定から得られる保持力により、収集される負荷の少なくとも一部を均衡させることができる。得られた保持力で収集された負荷を均衡させることにより、固定サブシステムは、使い捨て着用可能吸収性物品を着用者の適所に保持することを、少なくとも補助することができる。
【００１２】
固定サブシステムは、使い捨て着用可能吸収性物品に作用する負荷を収集し、それ自体を着用者の体に固定し、固定から得られる保持力により収集した負荷を均衡させるように構成され得る。本開示全体を通して、用語「固定された」とは、物品が着用者によって着用される間に、使い捨て着用可能吸収性物品の固定サブシステムの一部又は全体、及び着用者の体の一部又は全体の構成関係を指す。固定サブシステムの要素が着用者の体の一部に固定されている場合、物品が着用者によって着用される間に、要素の少なくとも一部が体の一部と直接的及び／又は間接的に接触し、固定サブシステムは要素とその部分との間の相対運動を少なくとも低減及び／又は防止するように構成される。
【００１３】
固定サブシステムは、着用者の体の様々な部分に接触するように構成された固定サブシステムの１つ以上の要素により着用者の体に固定されることができる。例えば、固定サブシステムは、着用者の体の前側、後側、及び／又は側部周囲の少なくとも部分で１つ以上の固定サブシステム要素を巻き付けることにより少なくとも部分的に固定されることができ、それにより摩擦及び／又は反作用の力をもたらす。一部の実施形態では、比較的小さい曲率半径を有する体の一部は、より大きい摩擦推力をもたらすことができる、それは要素が、そのような部分の周りによりしっかりと巻き付く傾向があり得るためである。これは、湾曲した表面の周囲に巻かれ、張力下に置かれる可撓性材料の物理特性による。こうした場合、引張力が可撓性材料を張力下に置くため、可撓性材料は、曲面と垂直であり、曲面上で内側に向う垂直力を生じる。基本的なキャプスタン（capstan）の公式により、垂直力は曲面の半径で除した引張力に比例する。したがって、所定の引張力では、半径が小さくなるに従って、垂直力は大きくなる。また、例として、固定サブシステムは、１つ以上の固定サブシステム要素を着用者の体の突出した部分、その周り、及び／又はその上に固定することにより少なくとも部分的に固定されることができ、それにより摩擦及び／又は反作用の力をもたらす。一部の実施形態では、比較的大きい水平突出部を有する体の一部は、より大きい反作用の力をもたらす、それは要素が、そのような部分をより確実に吊るし及び／又はそれに跨る傾向があり得るためである。
【００１４】
負荷を収集し、それ自体を着用者の体に固定し、様々な力を均衡させるため、固定サブシステムは、多数の固定サブシステム要素を含むように構成されることができる。いくつかの実施形態では、固定サブシステム要素は、張力を保持するように構成された細長い要素であることができる。固定サブシステム要素は、固定サブシステムが含まれる使い捨て着用可能吸収性物品の着用者の体の外側表面上の種々の経路に沿うことができる。これらの外側表面の形状は、経路の形状に影響を及ぼすことができる。経路の形状は、今度は固定サブシステム要素の構成に影響を及ぼすことができる。人間の体の多くの外側表面は、人間の体の尻部の周りの曲線などの湾曲した形状を含む。身体は、様々な大きさ及び形状を有するため、異なる人体は、異なる曲線を含み得る。いくつかの実施形態では、曲がった通路に沿う固定サブシステム要素の一部又は全ては、測地線であり得る。
【００１５】
用語、測地線とは、湾曲した幾可学的形状により説明される数学的特性を有する理論的な要素を指す。この理論的な文脈では、測地線は、曲面上の曲線であり、該曲線は、その曲面から見たとき、左又は右に向きを変えず真っ直ぐに移動しているように見受けられる。換言すれば、測地線を、摩擦のない局面上にピンと引っ張られた線として考えることができる。平面上では、２つの点間の最も短い距離は直線である。局面上では、２つの点間の最も短い距離は測地線である。測地線及びそれらの数学的特性の更なる情報は、微分幾何学及び一般相対性理論のテキスト、例えば、バレットオーネイル（Barrett O’Neill）、「初等微分幾何学（Elementary Differential Geometry）」、７章（アカデミックプレス（Academic Press）、２００６年）及びジェイムスフォスター（James Foster）＆デイビットＪ．ナイチンゲール（David J. Nightingale）、「一般相対性の短コース（A Short Course in General Relativity）」、２．１章（スプリンガー・サイエンス・アンド・ビジネスメディア（Springer Science and Business Media）、２００６年）に見出すことができる。
【００１６】
固定サブシステム要素の一部又は全部が、測地線として構成され得る。本開示全体を通して、固定サブシステム要素は、測地線として記載されるが、これらの説明は、そのような固定サブシステム要素が理論的な測地線要素に対する高度な近似として構成されることを意味することを意図している。当業者により理解されるように、実際の要素は理論的な測地線要素と全く同じように挙動することはできない、というのは、実際の要素は、常に少なくとも一定の厚さを有し、常に少なくともいくらかの摩擦を受け、常に少なくともいくらかの小さい非軸線方向の外力を受けるからである。
【００１７】
固定サブシステム要素の一部又は全部を、要素が着用者の体の外表面上の様々な凸状湾曲経路に沿うとき、測地線として構成することができる。張力の負荷を受ける（例えば、軸線方向の負荷）固定サブシステム要素は、張力が要素を凸状湾曲経路に印加され得るので、測地線として構成され得る。点負荷が測地線である固定サブシステム要素に、測地線に対するインライン以外の角度で加えられる場合、この点負荷は元の測地線を変形させ、元の測地線を固定サブシステム要素の２つの新しい測地線に分割する。同様に、張力下で測地線として構成された固定サブシステム要素が、人体の一般に凸状外側表面の凹部上を通過する場合、要素は凹状部分を橋渡しし、固定サブシステム要素を凹状部分の双方の凸状側部上の２つの測地線に分離する。更に、固定サブシステム要素の橋掛け部分も測地線である、というのは、それは空間における直線であるからである。測地線である固定サブシステム要素が、要素の長さの少なくとも一部に沿って分配される負荷を、測地線に対するインライン以外の角度で受ける場合、要素はもはや測地線として挙動せず、代わりに本明細書で「幾何学的固定」と称される方法で機能しはじめる。固定サブシステムは、多数の固定サブシステム要素を含むことができ、その少なくとも一部を測地線として構成することができる。
【００１８】
固定サブシステム要素の１種類は、側部固定部材（ＳＡＭ）である。ＳＡＭは、使い捨て着用可能吸収性物品の固定サブシステムにおいて画定されるＳＡＭ通路に沿って配置される、１つ以上の物理的な張力支持要素及び／又は領域である。ＳＡＭは、２つの画定される端部、その２つの端部間の中央部、及びその一端からその他端まで画定される長さを有する。ＳＡＭは、それぞれその画定される長さよりも短い１つ以上の幅を有し得る。ＳＡＭ通路は、着用者の身体の下部胴体を、実質的に、又は完全に囲むことはできない。ＳＡＭ通路の少なくとも一部は、使い捨て着用可能吸収性物品の側部を通過する。いくつかの実施形態では、ＳＡＭは使い捨て着用可能吸収性物品の側部の内部に収容され得る。
【００１９】
使い捨て着用可能吸収性物品の側部は、様々な方法で画定され得る。使い捨て着用可能吸収性物品の側部は、物品の前部の一部、加えて物品の後部の一部を含み得る。場合により、使い捨て着用可能吸収性物品の側部は、物品の横方向中心線から横方向にオフセットされた物品の一部に配置されるものとしてみなされ得る。本開示の全体を通じ、特に指定のない限り、使い捨て着用可能吸収性物品の側部は、物品の吸収性コアの長手方向縁部から横方向外側にある物品の一部に配置される。場合によっては、使い捨て着用可能吸収性物品の側部は、物品のシャーシの最も狭い部分から横方向外側にある物品の一部に配置されるものとしてみなされ得る。様々な場合において、使い捨て着用可能吸収性物品の側部は、物品のサイドパネル又は側部耳部に配置されるものとしてみなされ得る。本開示の実施形態は、使い捨て着用可能吸収性物品の側部のこれらの定義のいずれかと共に使用され得る。
【００２０】
使い捨て着用可能吸収性物品の固定サブシステムでは、１つ以上のＳＡＭが着用者の身体の様々な部分と接触するように構成され、固定サブシステムを身体に固定することを、少なくとも補助することができる。ＳＡＭは、使い捨て着用可能吸収性物品の１つ以上の要素、例えば、シャーシ、締結具、レッグカフなどからの、少なくともいくらかの収集される負荷を受容することができる。ＳＡＭはまた保持力を提供して、身体との接触を通じて収集される負荷の均衡を助けることもできる。これらの負荷及び力をバランスさせて、ＳＡＭは固定システムの張力を保持する。このようにバランスさせると、固定サブシステムが、使い捨て着用可能吸収性物品を着用者の適所に保持することを少なくとも補助することを可能にし得る。
【００２１】
ＳＡＭは、様々な形態で構成され得る。いくつかの実施形態では、ＳＡＭは締結具など、多数の要素を含み得る。ＳＡＭの部分又は全てが、真っ直ぐであるか、湾曲しているか、角度を有するか、セグメント化されているか、若しくは他の形状であるか、又はこれらの形状のいずれかの組み合わせであることができる。ＳＡＭの部分又は全てが、使い捨て着用可能吸収性物品の１つ以上の要素に、構造的に付随することができる。例として、ＳＡＭの一部又は全ては、使い捨て着用可能吸収性物品の１つ以上の要素と別個であり、及び／又はこれに接合され、及び／又はこれに取り付けられ、及び／又はこれに埋め込まれ、及び／又はこれと一体であることができる。本開示全体を通して、用語「接合された」とは、要素を直接他の要素に貼り付けることにより要素が別の要素に直接接続される構成、及び要素を中間体部材に貼り付け、そしてそれが順次他の要素に貼り付けられることにより要素が別の要素に間接的に固定される構成を指す。
【００２２】
ＳＡＭを、固定システムの張力を保持するために好適な任意の材料から作製することができる。ＳＡＭの一部又は全ては、様々な弾性、非弾性、延伸性、非延伸性、伸張性、及び／若しくは非伸張性の材料（１つ又は複数）、及び／若しくは他の任意の好適な材料（１つ又は複数）の１つ以上、並びに／又は、これらの材料のいずれかの組み合わせを含むことができる。例として、ＳＡＭの一部又は全ては、様々なエラストマー材、例えば、押出成形されたフィルム、弾性部材、不織布、スクリム、スロットコーティングされたフィルム、噴霧若しくはメルトブロー繊維、及び／又は印刷弾性部材、及び／又は他の任意の好適なエラストマー材（１つ又は複数）の１つ以上、並びに／あるいはこれらの材料のいずれかの組み合わせを含むことができる。また例として、要素（１つ又は複数）の１つ以上が、弾性不織布と、弾性フィルム及び延伸性不織布と、予備伸張される延伸性フィルム及び弾性不織布と、漸増的に伸張するように収縮させた弾性ストランドと、ゼロひずみ積層体と構成される、並びに／又はこれらの及び／若しくは他の組み合わせで構成される実施形態など、ＳＡＭの一部又は全てが、使い捨て着用可能吸収性物品の１つ以上の要素の一部又は全てに構造的に付随し得る。いくつかの実施形態では、ＳＡＭは１つ以上の積層体材料を含み得る。当業者に理解されるように、様々な実施形態において、ＳＡＭは様々な坪量、化学特性、及び／又は漸増伸張で形成され得る。ＳＡＭは、任意の好適な幅又は厚さであり得る。例えば、ＳＡＭは、５ｍｍ〜約７５ｍｍの幅、又はこの範囲内の任意の幅であり得る。ＳＡＭの幅及び／又は厚さは、いくつかの実施形態では、ＳＡＭの長さにわたって変化することができる。
【００２３】
上記のように、固定サブシステムは負荷及び力を均衡させ、したがって、米国特許出願第１１／５９９，８５１号に記載される使い捨て着用可能吸収性物品の固定システムのものと同様の機能を果たすことができる。結果として、固定サブシステムは、使い捨て着用可能吸収性物品の固定システムのものと同様の利益を提供することができ、着用者が着用したときに物品がたるむ、又は滑り落ちることを防ぐことを助ける。しかしながら、固定サブシステムは、使い捨て着用可能吸収性物品の内部の、その存在する範囲において、固定システムとは異なる。使い捨て着用可能吸収性物品の固定サブシステムにおいて、固定サブシステムの要素のいずれも、使い捨て着用可能吸収性物品が着用者によって着用されたときに、着用者の下部胴体を実質的に又は完全に取り囲むことはない。更に、固定サブシステムは、使い捨て着用可能吸収性物品の、特定の画定される領域の内部に収容される。例えば、使い捨て着用可能吸収性物品の側部固定サブシステムは、使い捨て着用可能吸収性物品の側部の内部に収容される。
【００２４】
図１Ａは、本開示の実施形態による、交差側部固定部材１５０、１６０を有する固定サブシステム１７０を含む、パンツ型使い捨て着用可能吸収性物品１１０の平面図を例示する。
【００２５】
図１Ａでは、横方向中心線１１３及び長手方向中心線１１７が、使い捨て着用可能吸収性物品１１０の部分の相対位置を参照するための基準線を提供する。第１部分が、第２部分よりも横方向中心線１１３に近い場合、第１部分は第２部分に対して横方向内側１１２にあるものとみなすことができる。同様に、第２部分は、第１部分から横方向外側１１４にあるものとみなすことができる。第３部分が第４部分よりも長手方向中心線１１７に近い場合、第３部分は、第４部分に対して長手方向内側１１６にあるものとみなすことができる。同様に、第４部分は、第３部分から長手方向外側１１８にあるものとみなすことができる。図１Ａは、使い捨て着用可能吸収性物品１１０に関して、横方向内側、横方向外側、長手方向内側、及び長手方向外側の、相対方向を示す矢印を含む。本開示全体を通じ、特に指定のない限り、横方向の寸法、測定値、線、又は方向への言及は、横方向中心線１１３に対して実質的に垂直な寸法、測定値、線、又は方向を指し、長手方向の寸法、測定値、線、又は方向への言及は、長手方向中心線１１７に対して実質的に垂直な寸法、測定、線、又は方向を指す。
【００２６】
使い捨て着用可能吸収性物品１１０は、前部１２３及び後部１２７を含む。前部１２３は、使い捨て着用可能吸収性物品１１０が着用者によって着用されたときに、一般に着用者の腹部の近傍、及び／又は下部に配置される使い捨て着用可能吸収性物品１１０の一部である。「前部」への一般的な言及は、その言及の文脈により、前部１２３、前部１２３の要素の一部若しくは全部、及び／又は前部１２３への配置を意味し得る。前部１２７は、使い捨て着用可能吸収性物品１１０が着用者によって着用されたときに、一般に着用者の背部の近傍、及び／又は下部に配置される使い捨て着用可能吸収性物品１１０の一部である。「後部」の一般的な言及は、その言及の文脈により、後部１２７、後部１２７の要素の一部若しくは全部、及び／又は後部１２７への配置を意味し得る。使い捨て着用可能吸収性物品１１０の長手方向中心線は、前部１２３と後部１２７の間の境界を形成する。上記した前側及び後側の技術用語は、特に指示がない限り、本開示全体を通して使い捨て着用可能吸収性物品に使用される。いくつかの実施形態では、前部１２３及び後部１２７は、使い捨て着用可能吸収性物品１１０の第１及び第２半体としてみなすことができるが、これらの半体は均等でないことがある。
【００２７】
使い捨て着用可能吸収性物品１１０はまた、シャーシ１２０、前側ウエストバンド１２１、シャーシ１２０の最も狭い部分１２２、長手方向縁部１２４を有する吸収性コア１２５、吸収性コア領域１２６、前側腰縁部１２８−Ｆ、後側腰縁部１２８−Ｂ、及び後側ウエストバンド１２９を含む。シャーシ１２０の一部が、吸収性コア１２５、及び長手方向縁部１２４をより明瞭に示すために、一部を切り取ったものとして例示される。第１側部の前側部分１３１は、前部１２３内に配置される。第１側部の後側部分１３９は、後部１２７内に配置される。使い捨て着用可能吸収性物品１１０は、第１サイドパネルを有し、これは第１サイドパネルの前側部分１３３及び第１サイドパネルの後側部分１３７を含み、これらは第１側部境界部分１３５を介して接続するように構成される。本開示全体を通じ、明確にするために、サイドパネルは使い捨て着用可能吸収性物品内部の、別個の要素として例示される。しかしながら、様々な実施形態において、サイドパネルの１つ以上の部分又は全てが、使い捨て着用可能吸収性物品内部の別個の要素でないことがある。
【００２８】
第１サイドパネルはまた、固定サブシステム１７０も含む。固定サブシステム１７０は、第１ＳＡＭ  １５０及び第２ＳＡＭ  １６０を含む。第１ＳＡＭ  １５０は、第１ＳＡＭ通路１５１に沿って配置され、第１位置１５２に配置される第１端部１５３、第２位置１５８に配置される第２端部１５９、及び第１端部１５３と第２端部１５９の間に配置される第１中央部１５５を含む。第２ＳＡＭ  １６０は、第２ＳＡＭ通路１６１に沿って配置され、第３位置１６２に配置される第３端部１６３、第４位置１６８に配置される第４端部１６９、及び第３端部１６３と第４端部１６９の間の第２中央部１６５を含む。しかしながら、第１ＳＡＭ通路１５１及び第２ＳＡＭ通路１６１は交差し、そのため第１中央部１５５の一部は、第２中央部１６５の一部と同一の広がりを持つ。図１Ａ〜１Ｃの実施形態では、同一の広がりを持つ部分が第１側部境界部分１３５に橋渡しするが、いくつかの実施形態では、ＳＡＭ通路が第１サイドパネルの前側部分１３３、又は第１パネルの後側部分１３７で交差し得る。様々な実施形態において、第１ＳＡＭ通路１５１及び／又は第２ＳＡＭ通路１６１の一部又は全てが、測地線として構成されることができ、それによって固定サブシステム１７０は測地線固定を提供することができる。
【００２９】
明確にするため、図１Ａ〜９Ｃの実施形態では、ＳＡＭは、サイドパネル及び側部耳部と共にはっきりと見える要素として例示される。しかしながら、様々な実施形態において、固定サブシステム要素の一部又は全部が、使い捨て着用可能吸収性物品の内部において、容易にはっきりと見えないことがある。例えば、ＳＡＭは、ＳＡＭがサイドパネル又は側部耳部に埋め込まれるか、又は一体化される実施形態においては、容易にはっきりと見えなくてもよい。
【００３０】
やはり明確にするために、図１Ａ〜９Ｃの実施形態では、ＳＡＭ通路が、一体型の連続的な通路として例示される。しかしながら、いくつかの実施形態では、ＳＡＭの一部又は全部が、ＳＡＭ通路に沿って配置される多数の別個の要素及び／又は別個の領域により形成され得る。例として、ＳＡＭは、サイドパネル又は側部耳部を介して走る、実質的に平行な材料のストランドにより、又はサイドパネル又は側部耳部に取り付けられる一連の材料の断片により、又は漸増的に伸張されるサイドパネル又は側部耳部の未伸張の領域の分布により、形成され得る。
【００３１】
第２端部１５９及び第４端部１６９は双方とも、吸収性コア領域１２６の外側、第１側部の後側部分１３９、吸収性コア１２５の長手方向縁部１２４から横方向外側、シャーシ１２０の最も狭い部分１２２の横方向内側、及び第１サイドパネルの後側部分１３７の横方向内側縁部に近接する第１サイドパネルの後側部分１３７の内部に配置される。いくつかの実施形態では、第２端部１５９及び第４端部１６９の一方又は両方が、第１サイドパネルの後側部分１３７の外側、及び／又は第１側部の後側部分１３９の内部、及び／又はシャーシ１２０の最も狭い部分１２２から横方向外側、及び／又は吸収性コア１２５の長手方向縁部１２４の横方向内側、及び／又は吸収性コア領域１２６の内部の位置を含む、様々な位置に配置され得る。第４位置１６８は、第２位置１５８から長手方向外側にある。
【００３２】
第１端部１５３及び第３端部１６３は双方とも、吸収性コア領域１２６の外側、第１側部の前側部分１３１、吸収性コア１２５の長手方向縁部１２４から横方向外側、シャーシ１２０の最も狭い部分１２２の横方向内側、及び第１サイドパネルの前側部分１３３の横方向内側縁部に近接する第１サイドパネルの前側部分１３３の内部に配置される。いくつかの実施形態では、第１端部１５３及び第３端部１６３の一方又は両方が、第１サイドパネルの前側部分１３３の外側、及び／又は第１側部の前側部分１３１の内部、及び／又はシャーシ１２０の最も狭い部分１２２から横方向外側、及び／又は吸収性コア１２５の長手方向縁部１２４の横方向内側、及び／又は吸収性コア領域１２６の内部の位置を含む、様々な位置に配置され得る。第３位置１６２は、第１位置１５２から長手方向内側にある。
【００３３】
固定サブシステム１７０は、吸収性コア１２５に直接接続されず、吸収性コア領域１２６の外側にあり、そのため固定サブシステム１７０は吸収性コア１２５から分離している。しかしながら、様々な実施形態において、固定サブシステムの１つ以上の要素の一部又は全部が、吸収性コア領域の内側にあるか、及び／又は吸収性コアに接合されるか若しくは直接接続され得る。第１ＳＡＭ  １５０又は第２ＳＡＭ  １６０のいずれも、着用者の下部胴体を実質的に又は完全に取り囲まないため、かつ固定サブシステム１７０は使い捨て着用可能吸収性物品１１０の特定の画定された部分の内部に収容されるため、固定サブシステム１７０はサブシステムとしてみなされる。図１Ａ〜１Ｃの実施形態では、固定サブシステム１７０は、使い捨て着用可能吸収性物品１１０の第１側部の内部に収容されるため、固定サブシステム１７０は、側部固定サブシステムとしてみなされる。使い捨て着用可能吸収性物品１１０はまた、外側カバーを含むことができ、これは、様々な実施形態において、固定サブシステム１７０から分離している場合がある。いくつかの実施形態では、このような外側カバーの一部又は全部が、伸張可能、弾性、又は延伸性であり得る。
【００３４】
使い捨て着用可能吸収性物品１１０はまた、前部１２３に配置される第２側部の前側部分１４１、及び後部１２７に配置される第２側部の後側部分１４９を有する第２側部を含む。使い捨て着用可能吸収性物品１１０は、第２サイドパネルを有し、これは第２サイドパネルの前側部分１４３及び第２サイドパネルの後側部分１４７を含み、これらは第２側部境界部分１４５によって接続するように構成される。第２サイドパネルは、第１サイドパネルと同様に構成されるが、様々な実施形態において、第２サイドパネルは、別の方法として、異なる様式で構成され得る。
【００３５】
図１Ｂは、着用のために形成される、図１Ａの実施形態の使い捨て着用可能吸収性物品１１０の外側の斜視図を例示する。図１Ｂの実施形態では、第１側部は、第１側部境界部分１３５によって接続されている。図１Ｃは、図１Ｂの実施形態の使い捨て着用可能吸収性物品１１０の側部の一部の拡大図を例示する。第１側部境界部分１３５に近接する接続部１３６は、第１サイドパネルの前側部分１３３と、第１サイドパネルの後側部分１３７を接続し、第１側部を形成する。接続部１３６は、例えば、締結可能な接続部又は耐久性接続部など、様々な形態をとることができる。接続部１３６の位置は、様々な実施形態で変化し得る。いくつかの実施形態では、側部は別の方法として、側部内で、様々な位置における２つ以上の接続部で、又は別個の接続部を伴わずに、形成され得る。
【００３６】
本開示の様々な実施形態において、固定サブシステム１７０の１つ以上の部分、又は少なくとも一部が、第１サイドパネルに構造的に付随することができる。いくつかの実施形態では、固定サブシステム１７０の少なくとも一部、又は固定サブシステム１７０の実質的に全部、又は更に固定サブシステム１７０の全部が、第１サイドパネルと別個であるか、あるいはこれに接合される、取り付けられる、若しくは埋め込まれるか、又はこれと一体であることができる。様々な実施形態において、第１ＳＡＭ  １５０及び／又は第２ＳＡＭ  １６０の少なくとも一部、又は第１ＳＡＭ  １５０及び／又は第２ＳＡＭ  １６０の実質的に全部、又は更に第１ＳＡＭ  １５０及び／又は第２ＳＡＭ  １６０の全部が、第１サイドパネルと別個であるか、あるいはこれに接合される、若しくは取り付けられる、若しくは埋め込まれる、又はこれと一体であることができる。
【００３７】
固定サブシステム１７０の１つ以上の部分が第１サイドパネルと一体である実施形態では、第１サイドパネルは、固定サブシステム１７０の一体部分を含む第１部分、及び第１部分の外側にある第２部分を有するものとみなされ得る。例えば、第１ＳＡＭ  １５０の全て及び第２ＳＡＭ  １６０の全てが第１サイドパネルと一体であった場合、第１部分は、第１ＳＡＭ通路１５１及び第２ＳＡＭ通路１６１を含み、一方で、第２部分は、第１ＳＡＭ通路１５１及び第２ＳＡＭ通路１６１の外側にある、第１サイドパネルの４つのおよそ三角形の区分を含む。このような実施形態では、この第１部分及び第２部分は、以下の実施例に記載されるように、様々な方法で構成され得る。
【００３８】
使い捨て着用可能吸収性物品１１０は、第１部分の実質的に全部が、１つ以上のより少ない程度で漸増的に伸張され得、第２部分の実質的に全部が１つ以上のより大きな程度で漸増的に伸張され得るように、構成されることができる。
【００３９】
使い捨て着用可能吸収性物品１１０は、第１部分が、単位距離当たり第１の特定の歯の数を有するように漸増的に伸張され得、第２部分が単位距離当たり第２の特定の歯の数を有するように漸増的に伸張され得、第１の特定の歯の数が、第２の特定の歯の数以下であるように、構成され得る。例として、第１の特定の歯の数は、第２の特定の歯の数の、丁度又は約９／１０、又は４／５、又は３／４、又は２／３、又は１／２、又は１／３、又は１／４、又は１／５、又は１／１０であり得る。図１０Ａ〜１０Ｃの実施形態は、漸増的な伸張を例示している。
【００４０】
第１部分の実質的に全部がより高い方向性弾性率を有するように構成され得、第２部分の実質的に全部が１つ以上のより低い方向性弾性率を有するように構成され得るように、使い捨て着用可能吸収性物品１１０は、本明細書に記載される弾性率マッピング方法に記載される方向性に基づき、構成され得る。様々な実施形態において、より高い方向性弾性率は、１つ以上のより低い方向性弾性率よりも、少なくとも１０％、又は少なくとも５０％、又は少なくとも１００％、又は少なくとも２５０％、又は少なくとも４００％高い場合がある。
【００４１】
第１部分の実質的に全部が、１つ以上のより高いキャリパーのエラストマーを含み、第２部分の実質的に全部が、１つ以上のより低いキャリパーのエラストマーを含むように、使い捨て着用可能吸収性物品１１０は構成され得る。第１部分の実質的に全部が、１つ以上のより高い性能のエラストマーを含み、第２部分の実質的に全部が、１つ以上のより低い性能のエラストマーを含むように、使い捨て着用可能吸収性物品１１０は構成され得る。
【００４２】
１つ以上の未伸張の部分が、第１部分の実質的に全部にわたって分布することができ、第２部分の実質的に全部が漸増的に伸張され得るように、使い捨て着用可能吸収性物品１１０は構成され得る。
【００４３】
１つ以上の過接着部分が、第１部分の実質的に全部にわたって分布し得るように、使い捨て着用可能吸収性物品１１０は構成され得る。
【００４４】
第１部分の実質的に全部が特定の歪みにおいて、単位幅当たり１つ以上のより高い抵抗力を有するように構成され得、第２部分の実質的に全部が、特定の歪みにおいて、単位幅当たり１つ以上のより低い抵抗力を有するように構成され得るように、使い捨て着用可能吸収性物品１１０は構成され得る。様々な実施形態において、単位幅当たりのより高い抵抗力のものの、単位幅当たりより低い抵抗力のものに対する比率は、少なくとも１．１、又は少なくとも１．５、又は少なくとも２、又は少なくとも３．５、又は少なくとも５であり得る。
【００４５】
いくつかの実施形態において、物品内の１つ以上の負荷が、この負荷が固定サブシステム１７０の外側にある第１サイドパネルの一部に張力を生じ得る前に、固定サブシステム１７０内に張力を生じ得るように、使い捨て着用可能吸収性物品１１０は構成され得る。様々な実施形態において、物品内の１つ以上の負荷が、固定サブシステム１７０の外側にある第１サイドパネルの一部におけるよりも、固定サブシステム１７０内でより高い張力を生じ得るように、使い捨て着用可能吸収性物品１１０は構成され得る。先に記載された要素に加え、図１Ｃの実施形態は張力線１７５を含む。張力線１７５は、固定サブシステム１７０が使い捨て着用可能吸収性物品１１０を着用者の適所に保持することを少なくとも補助し得るように、第１ＳＡＭ  １５０及び第２ＳＡＭ  １６０が得られる保持力で収集された負荷を均衡し得る様子を例示している。例えば、第１ＳＡＭ  １５０は第２端部１５９で及び／又は第１ＳＡＭ通路１５１に沿って負荷を収集することができる。また、例として、第２ＳＡＭ  １６０は、第３端部１６３で及び／又は第２ＳＡＭ通路１６１に沿って負荷を収集することができる。更なる例では、第１ＳＡＭ  １５０は、第１ＳＡＭ  １５０が第１ＳＡＭ通路１５１の下部で、着用者の身体との直接、又は間接的な接触から固定を受けると、第１端部１５３で及び／又は第１ＳＡＭ通路１５１に沿って保持力を得ることができる。なお更なる例では、第２ＳＡＭ  １５０が固定を受けると、第２ＳＡＭ  １６０は、第４端部１６９で及び／又は第２ＳＡＭ通路１６１に沿って保持力を得ることができる。これらの負荷及び力は、シャーシ１２０及び／又は第１サイドパネルなど、使い捨て着用可能吸収性物品１１０の様々な部分を通じて受容され得る。
【００４６】
固定サブシステム１７０は、吸収性コア１２５を着用者に間接的に固定するように構成され、そのため、第１ＳＡＭ  １５０及び第２ＳＡＭ  １６０が、吸収性コア１２５に直接接続されず、第１ＳＡＭ通路１５１及び第２ＳＡＭ通路１６１はそれぞれ吸収性コア領域１２６の外側に配置されるが、吸収性コア１２５からの負荷は使い捨て着用可能吸収性物品１１０の様々な部分を通じて第１ＳＡＭ  １５０及び／又は第２ＳＡＭ  １６０に伝達され得、これは得られる保持力で収集される負荷を均衡することができ、その結果、固定サブシステム１７０は、使い捨て着用可能吸収性物品１１０を着用者の適所に保持することを、少なくとも補助することができる。結果として、使い捨て着用可能吸収性物品１１０は、物品が着用者の適所に留まり、漏れを生じない傾向にあるために、快適に感じられ、魅力的に見え、良好に機能し得る。
【００４７】
図２Ａは、本開示の実施形態により、交差側部固定部材２５０、２６０、及びそれぞれ１つの締結具を有する側部耳部２８５、２９５を有する固定サブシステム２７０を含む、締結可能な使い捨て着用可能吸収性物品２１０の内側の平面図を例示する。使い捨て着用可能吸収性物品２１０は、横方向中心線２１７及び長手方向中心線２１３を含み、これは、使い捨て着用可能吸収性物品２１０の位置に対して、横方向内側２１２、横方向外側２１４、長手方向内側２１６、及び長手方向外側２１８を参照するための基準線を提供する。
【００４８】
使い捨て着用可能吸収性物品２１０はまた、シャーシ２２０、シャーシ２２０の最も狭い部分２２２、前部２２３、長手方向縁部２２４を有する吸収性コア２２５、吸収性コア領域２２６、後部２２７、前側腰縁部２２８−Ｆ、及び後側腰縁部２２８−Ｂを含む。シャーシ２２０の一部が、吸収性コア２２５及び長手方向縁部２２４をより明確に示すために、切り取られて例示されている。いくつかの実施形態では、前部２２３及び後部２２７は、使い捨て着用可能吸収性物品２１０の第１及び第２半体としてみなされ得るが、半体は均等でないことがある。第１側部の前側部分２８１は、前部２２３内に配置される。第１側部の後側部分２８９は、後部２２７内に配置される。
【００４９】
使い捨て着用可能吸収性物品２１０は、第１側部の後側部分２８９に接続される第１側部耳部２８５を有する。本開示の全体を通じて、明確にするため、側部耳部は、使い捨て着用可能吸収性物品内部の別個の要素として例示される。しかしながら、様々な実施形態において、側部耳部の１つ以上の部分又は全部が、使い捨て着用可能吸収性物品内部の別個の要素でないことがある。
【００５０】
第１側部耳部２８５は、締結具２８３及び固定サブシステム２７０を含む。固定サブシステム２７０は、第１ＳＡＭ  ２５０及び第２ＳＡＭ  ２６０を含む。第１ＳＡＭ  ２５０は、第１ＳＡＭ通路２５１に沿って配置され、第１位置２５２に配置される第１端部２５３、第２位置２５８に配置される第２端部２５９、及び第１端部２５３と第２端部２５９の間の第１中央部２５５を含む。第２ＳＡＭ  ２６０は、第２ＳＡＭ通路２６１に沿って配置され、第３位置２６２に配置される第３端部２６３、第４位置２６８に配置される第４端部２６９、及び第３端部２６３と第４端部２６９の間の第２中央部２６５を含む。第１ＳＡＭ通路２５１の部分は、第２ＳＡＭ通路２６１とは別個である。しかしながら、第１ＳＡＭ通路２５１及び第２ＳＡＭ通路２６１は交差し、そのため第１中央部２５５の一部は、第２中央部２６５の一部と同一の広がりを持つ。様々な実施形態において、第１ＳＡＭ通路２５１及び／又は第２ＳＡＭ通路２６１の一部又は全部は、測地線として構成され得、それによって固定サブシステム２７０は測地線固定を提供し得る。
【００５１】
第２端部２５９及び第４端部２６９は双方とも、吸収性コア領域２２６の外側、第１側部の後側部分２８９、吸収性コア２２５の長手方向縁部２２４から横方向外側、シャーシ２２０の最も狭い部分２２２の横方向外側、及び第１側部耳部２８５の横方向内側縁部に近接する第１側部耳部２８５の内部に配置される。いくつかの実施形態では、第２端部２５９及び第４端部２６９の一方又は両方が、第１側部耳部２８５の外側、及び／又は第１側部の後側部分２８９の内部、及び／又はシャーシ２２０の最も狭い部分２２２から横方向内側、及び／又は吸収性コア２２５の長手方向縁部２２４の横方向内側、及び／又は吸収性コア領域２２６の内部の位置を含む、様々な位置に配置され得る。第４位置２６８は、第２位置２５８から長手方向外側にある。第１端部２５３及び第３端部２６３は、双方とも第１側部耳部２８５の内部に配置される。第１端部２５３及び第３端部２６３の配置が、図２Ｃの実施形態と関連して更に記載される。
【００５２】
固定サブシステム２７０は、吸収性コア２２５に直接接続されず、吸収性コア領域２２６の外側にあり、そのため固定サブシステム２７０は吸収性コア２２５から分離している。第１ＳＡＭ  ２５０又は第２ＳＡＭ  ２６０のいずれも、着用者の下部胴体を実質的に又は完全に取り囲まないため、かつ固定サブシステム２７０は使い捨て着用可能吸収性物品２１０の特定の画定された部分の内部に収容されるため、固定サブシステム２７０はサブシステムとしてみなされる。図２Ａ〜２Ｃの実施形態では、固定サブシステム２７０は、使い捨て着用可能吸収性物品２７０の第１側部の内部に収容されるため、固定サブシステム２７０は、側部固定サブシステムとしてみなされる。使い捨て着用可能吸収性物品２１０はまた、外側カバーを含むことができ、これは、様々な実施形態において、固定サブシステム２７０から分離している場合がある。いくつかの実施形態では、このような外側カバーの一部は全部が、伸張可能、弾性、又は延伸性であり得る。
【００５３】
使い捨て着用可能吸収性物品２１０はまた、第２側部の前側部分２９１及び第２側部の後側部分２９９に接続される第２側部耳部２９５を含む。第２側部耳部２９５は、第１側部耳部２８５と同様に構成されるが、様々な実施形態において、第２側部耳部２９５は、別の方法として、異なる様式で構成され得る。使い捨て着用可能吸収性物品２１０は、締結領域２９０を更に含む。
【００５４】
図２Ｂは、着用のために形成される、図２Ａの実施形態の使い捨て着用可能吸収性物品２１０の外側の斜視図を例示する。図２Ｂの実施形態では、締結具２８３は、締結領域２９０に締結されている。
【００５５】
図２Ｃは、図２Ｂの実施形態の使い捨て着用可能吸収性物品２１０の側部の一部の拡大図を例示する。締結具２８３は締結領域２９０に締結され、それによって第１側部耳部２８５が前部２２３を後部２２７に締結する。結果として、第１側部耳部２８５の一部が前部２２３内に配置され、第１側部耳部２８５の一部が後部２２７内に配置される。この締結構成では、第１端部２５３及び第３端部２６３は双方とも、吸収性コア領域２２６の外側、第１側部の前側部分２８１、吸収性コア２２５の長手方向縁部２２４から横方向外側、シャーシ２２０の最も狭い部分２２２の横方向外側、及び第１側部耳部２８５内部に配置される。第１端部２５３は、締結具２８３の縁部の近傍に配置され、第３端部２６３は、第１側部耳部２８５の長手方向内側縁部の近傍に配置される。様々な実施形態では、第３端部２６３はまた、締結具２８３の縁部の近傍に配置され得る。いくつかの実施形態では、締結具２８３は、第１端部２５３及び第３端部２６３の一方又は両方が、シャーシ２２０の最も狭い部分２２２の横方向内側、及び／又は吸収性コア２２５の長手方向軸２２４の横方向内側、及び／又は第１側部の前側部分２８１の内部、及び／又は吸収性コア領域２２６の内部の位置を含む、様々な位置に配置され得るように締結されることができる。第３位置２６２は、第１位置２５２から長手方向内側にある。
【００５６】
本開示の様々な実施形態において、固定サブシステム２７０の１つ以上の部分、又は少なくとも一部が、第１側部耳部２８５に構造的に付随することができる。いくつかの実施形態では、固定サブシステム２７０の少なくとも一部、又は固定サブシステム２７０の実質的に全部、又は更に固定サブシステム２７０の全部が、第１側部耳部２８５と別個であるか、あるいはこれに接合される、取り付けられる、若しくは埋め込まれるか、又はこれと一体であることができる。様々な実施形態において、第１ＳＡＭ  ２５０及び／又は第２ＳＡＭ  ２６０の少なくとも一部、又は第１ＳＡＭ  ２５０及び／又は第２ＳＡＭ  ２６０の実質的に全部、又は更に第１ＳＡＭ  ２５０及び／又は第２ＳＡＭ  ２６０の全部が、第１側部耳部２８５と別個であるか、あるいはこれに接合される、若しくは取り付けられる、若しくは埋め込まれる、又はこれと一体であることができる。
【００５７】
固定サブシステム２７０の１つ以上の部分が第１側部耳部２８５と一体である実施形態では、第１側部耳部２８５は、固定サブシステム２７０の一体部分を含む第１部分、及び第１部分の外側にある第２部分を有するものとみなされ得る。例えば、第１ＳＡＭ  ２５０の全て及び第２ＳＡＭ  ２６０の全てが第１側部耳部２８５と一体であった場合、第１部分は、第１ＳＡＭ通路２５１及び第２ＳＡＭ通路２６１を含み、一方で、第２部分は、第１ＳＡＭ通路２５１及び第２ＳＡＭ通路２６１の外側にある、第１側部耳部２８５の４つのおよそ三角形の区分を含む。このような実施形態では、この第１部分及び第２部分は、図１Ｃの実施形態と関連して記載されるように、様々な方法で構成され得る。
【００５８】
いくつかの実施形態において、物品内の１つ以上の負荷が、この負荷が固定サブシステム２７０の外側にある第１側部耳部２８５の一部に張力を生じ得る前に、固定サブシステム２７０内に張力を生じ得るように、使い捨て着用可能吸収性物品２１０は構成され得る。様々な実施形態において、物品内の１つ以上の負荷が、固定サブシステム２７０の外側にある第１側部耳部２８５の一部におけるよりも、固定サブシステム２７０内でより高い張力を生じ得るように、使い捨て着用可能吸収性物品２１０は構成され得る。
【００５９】
先に記載された要素に加え、図２Ｃの実施形態は張力線２７５を含む。張力線２７５は、固定サブシステム２７０が使い捨て着用可能吸収性物品２１０を着用者の適所に保持することを少なくとも補助し得るように、第１ＳＡＭ  ２５０及び第２ＳＡＭ  ２６０が得られる保持力で収集された負荷を均衡し得る様子を例示している。例えば、第１ＳＡＭ  ２５０は、第２端部２５９で及び／又は第１ＳＡＭ通路２５１に沿って負荷を収集することができ、負荷は、シャーシ２２０及び／又は第１側部耳部２８５など、使い捨て着用可能吸収性物品２１０の様々な部分を介して受容される。また例として、第２ＳＡＭ  ２６０は、第３端部２６３で及び／又は第２ＳＡＭ通路２６１に沿って負荷を収集することができ、負荷は、締結具２８３及び／又は第１側部耳部２８５など、使い捨て着用可能吸収性物品２１０の様々な部分を介して受容される。
【００６０】
更なる例では、第１ＳＡＭ  ２５０は第１端部２５３で保持力を得ることができ、力は、締結具２８３及び／又は第１側部耳部２８５など、使い捨て着用可能吸収性物品２１０の様々な部分を介して受容される。更なる例では、第１ＳＡＭ  ２５０はまた、第１ＳＡＭ  ２５０が第１ＳＡＭ通路２５１の下部で、着用者の身体との直接、又は間接的な接触から固定を受けると、第１ＳＡＭ通路２５１に沿って保持力を得ることができる。同様の例として、第２ＳＡＭ  ２６０は第４端部２６９で保持力を得ることができ、力は、シャーシ２２０及び／又は第１側部耳部２８５など、使い捨て着用可能吸収性物品２１０の様々な部分を介して受容される。別の同様の例として、第２ＳＡＭ  ２５０が固定されると、第２ＳＡＭ  ２６０は、第２ＳＡＭ通路２６１に沿って保持力を得ることができる。
【００６１】
固定サブシステム２７０は、吸収性コア２２５を着用者に間接的に固定するように構成され、そのため、第１ＳＡＭ  ２５０及び第２ＳＡＭ  ２６０が、吸収性コア２２５に直接接続されず、第１ＳＡＭ通路２５１及び第２ＳＡＭ通路２６１はそれぞれ吸収性コア領域２２６の外側に配置されるが、吸収性コア２２５からの負荷は使い捨て着用可能吸収性物品２１０の様々な部分を介して第１ＳＡＭ  ２５０及び／又は第２ＳＡＭ  ２６０に伝達され得、これは得られる保持力で収集される負荷を均衡することができ、その結果、固定サブシステム２７０は、使い捨て着用可能吸収性物品２１０を着用者の適所に保持することを、少なくとも補助することができる。結果として、使い捨て着用可能吸収性物品２１０は、物品が着用者の適所に留まり、漏れを生じない傾向にあるために、快適に感じられ、魅力的に見え、良好に機能し得る。
【００６２】
図２Ｄは、本開示の実施形態による、部分的に同一の広がりを有する側部固定部材２５０、２６０及び、それぞれ第１締結具２８６及び第２受動的締結具２８７を有する側部耳部を有する固定サブシステム２７０を含む、締結可能な使い捨て着用可能吸収性物品２１０−２の外側の斜視図を例示する。使い捨て着用可能吸収性物品２１０−２は、本明細書において他の記載がない限り、図２Ａ〜２Ｃの実施形態の使い捨て着用可能吸収性物品２１０として構成される。使い捨て着用可能吸収性物品２１０−２は、シャーシ２２０、前部２２３、及び後部２２７を含む。第１ＳＡＭ  ２５０は第１中央部２５５を含み、第２ＳＡＭ  ２６０は、第３端部２６３及び第２中央部２６５を含む。使い捨て着用可能吸収性物品２１０−２はまた、第１側部の前側部分２８１及び、第１側部の後側部分２８９、加えて第１側部耳部２８５−２を有する第１側部を含む。第１側部耳部２８５−２は、能動的締結具２８６及び受動的締結具２８７を含む。受動的締結具２８７は、第２ＳＡＭ  ２６０の第３端部２６３の近傍に配置される。第２ＳＡＭ  ２６０は、使い捨て着用可能吸収性物品２１０の様々な部分を通じて、例えば受動的締結具２８７を通じて、第３端部２６３で負荷を収集することができる。第２側部耳部（図示されない）は、第１側部耳部２８５−２と同様に構成されてもよく、又は別の方法で構成されてもよい。
【００６３】
図３Ａは、本開示の実施形態により、交差側部固定部材３５０、３６０、及びそれぞれ２つの締結具を有する側部耳部３８５、３９５を有する固定サブシステム３７０を含む、締結可能な使い捨て着用可能吸収性物品３１０の内側の平面図を例示する。使い捨て着用可能吸収性物品３１０は、横方向中心線３１７及び長手方向中心線３１３を含み、これは、使い捨て着用可能吸収性物品３１０に対して、横方向内側３１２、横方向外側３１４、長手方向内側３１６、及び長手方向外側３１８を参照するための基準線を提供する。
【００６４】
使い捨て着用可能吸収性物品３１０はまた、シャーシ３２０、シャーシ３２０の最も狭い部分３２２、前部３２３、長手方向縁部３２４を有する吸収性コア３２５、吸収性コア領域３２６、後部３２７、前側腰縁部３２８−Ｆ、及び後側腰縁部３２８−Ｂを含む。シャーシ３２０の一部が、吸収性コア３２５及び長手方向縁部３２４をより明瞭に示すために、一部を切り取ったものとして例示される。いくつかの実施形態では、前部３２３及び後部３２７は、使い捨て着用可能吸収性物品３１０の第１及び第２半体としてみなすことができるが、これらの半体は均等でないことがある。第１側部の前側部分３８１は、前部３２３内に配置される。第１側部の後側部分３８９は、後部３２７内に配置される。
【００６５】
使い捨て着用可能吸収性物品３１０は、第１側部の後側部分３８９に接続される第１側部耳部３８５を有する。第１側部耳部３８５は、第１締結具３８２、第２締結具３８４、及び固定サブシステム３７０を含む。固定サブシステム３７０は、第１ＳＡＭ  ３５０及び第２ＳＡＭ  ３６０を含む。第１ＳＡＭ  ３５０は、第１ＳＡＭ通路３５１に沿って配置され、第１位置３５２に配置される第１端部３５３、第２位置３５８に配置される第２端部３５９、及び第１端部３５３と第２端部３５９の間の第１中央部３５５を含む。第２ＳＡＭ  ３６０は、第２ＳＡＭ通路３６１に沿って配置され、第３位置３６２に配置される第３端部３６３、第４位置３６８に配置される第４端部３６９、及び第３端部３６３と第４端部３６９の間の第２中央部３６５を含む。第１ＳＡＭ通路３５１の部分は、第２ＳＡＭ通路３６１とは別個である。しかしながら、第１ＳＡＭ通路３５１及び第２ＳＡＭ通路３６１は交差し、そのため第１中央部３５５の一部は、第２中央部３６５の一部と同一の広がりを持つ。様々な実施形態において、第１ＳＡＭ通路３５１及び／又は第２ＳＡＭ通路３６１の部分又は全てが、測地線として構成されることができ、それによって固定サブシステム３７０は測地線固定を提供することができる。
【００６６】
第２端部３５９及び第４端部３６９は双方とも、吸収性コア領域３２６の外側、第１側部の後側部分３８９、吸収性コア３２５の長手方向縁部３２４から横方向外側、シャーシ３２０の最も狭い部分３２２の横方向外側、及び第１側部耳部３８５の横方向内側縁部に近接する第１側部耳部３８５の内部に配置される。いくつかの実施形態では、第２端部３５９及び第４端部３６９の一方又は両方が、第１側部耳部３８５の外側、及び／又は第１側部の後側部分３８９の内部、及び／又はシャーシ３２０の最も狭い部分３２２から横方向内側、及び／又は吸収性コア３２５の長手方向縁部３２４の横方向内側、及び／又は吸収性コア領域３２６の内部の位置を含む、様々な位置に配置され得る。第４位置３６８は、第２位置３５８から長手方向外側にある。第１端部３５３及び第３端部３６３は、双方とも第１側部耳部３８５の内部に配置される。第１端部３５３及び第３端部３６３の配置が、図３Ｃの実施形態と関連して更に記載される。
【００６７】
固定サブシステム３７０は、吸収性コア３２５に直接接続されず、吸収性コア領域３２６の外側にあり、そのため固定サブシステム３７０は吸収性コア３２５から分離している。第１ＳＡＭ  ３５０又は第２ＳＡＭ  ３６０のいずれも、着用者の下部胴体を実質的に又は完全に取り囲まないため、かつ固定サブシステム３７０は使い捨て着用可能吸収性物品３１０の特定の画定された部分の内部に収容されるため、固定サブシステム３７０はサブシステムとしてみなされる。図３Ａ〜３Ｃの実施形態では、固定サブシステム３７０は、使い捨て着用可能吸収性物品３７０の第１側部の内部に収容されるため、固定サブシステム３７０は、側部固定サブシステムとしてみなされる。使い捨て着用可能吸収性物品３１０はまた、外側カバーを含むことができ、これは、様々な実施形態において、固定サブシステム３７０から分離している場合がある。いくつかの実施形態では、このような外側カバーの一部又は全部が、伸張可能、弾性、又は延伸性であり得る。
【００６８】
使い捨て着用可能吸収性物品３１０はまた、第２側部の前側部分３９１及び第２側部の後側部分３９９に接続される第２側部耳部３９５を含む。第２側部耳部３９５は、第１側部耳部３８５と同様に構成されるが、様々な実施形態において、第２側部耳部３９５は、別の方法として、異なる様式で構成され得る。使い捨て着用可能吸収性物品３１０は更に、第１締結領域３９０−１及び第２締結領域３９０−２を含む。
【００６９】
図３Ｂは、着用のために形成される、図３Ａの実施形態の使い捨て着用可能吸収性物品３１０の外側の斜視図を例示する。図３Ｂの実施形態では、第１締結具３８２は第１締結領域３９０−１に締結され、第２締結具３８４は第２締結領域３９０−２に締結される。
【００７０】
図３Ｃは、図３Ｂの実施形態の使い捨て着用可能吸収性物品３１０の側部の一部の拡大図を例示する。第１締結具３８２は第１締結領域３９０−１に締結され、第２締結具３８４は第２締結領域３９０−２に締結され、その結果、第１側部耳部３８５は前部３２３を後部３２７に締結する。結果として、第１側部耳部３８５の一部が前部３２３内に配置され、第１側部耳部３８５の一部が後部３２７内に配置される。この締結構成では、第１端部３５３及び第３端部３６３は双方とも、吸収性コア領域３２６の外側、第１側部の前側部分３８１、吸収性コア３２５の長手方向縁部３２４から横方向外側、シャーシ３２０の最も狭い部分３２２の横方向外側、及び第１側部耳部３８５内部に配置される。第１端部３５３は、第１締結具３８２の縁部の近傍に配置され、第３端部３６３は、第２締結具３８４の縁部の近傍に配置される。いくつかの実施形態では、第１端部３５３及び第３端部３６３の一方又は両方が、シャーシ３２０の最も狭い部分３２２の横方向内側、及び／又は吸収性コア３２５の長手方向縁部３２４の横方向内側、及び／又は第１側部の前側部分３８１の内部、及び／又は吸収性コア領域３２６の内部を含む、様々な位置に配置され得るように、第１締結具３８２及び第２締結具３８４は締結され得る。第３位置３６２は、第１位置３５２に対して長手方向内側にある。
【００７１】
本開示の様々な実施形態において、固定サブシステム３７０の１つ以上の部分、又は少なくとも一部が、第１側部耳部３８５に構造的に付随することができる。いくつかの実施形態では、固定サブシステム３７０の少なくとも一部、又は固定サブシステム３７０の実質的に全部、又は更に固定サブシステム３７０の全部が、第１側部耳部３８５と別個であるか、あるいはこれに接合される、取り付けられる、若しくは埋め込まれるか、又はこれと一体であることができる。様々な実施形態において、第１ＳＡＭ  ３５０及び／又は第２ＳＡＭ  ３６０の少なくとも一部、又は第１ＳＡＭ  ３５０及び／又は第２ＳＡＭ  ３６０の実質的に全部、又は更に第１ＳＡＭ  ３５０及び／又は第２ＳＡＭ  ３６０の全部が、第１側部耳部３８５と別個であるか、あるいはこれに接合される、若しくは取り付けられる、若しくは埋め込まれる、又はこれと一体であることができる。
【００７２】
固定サブシステム３７０の１つ以上の部分が第１側部耳部３８５と一体である実施形態では、第１側部耳部３８５は、固定サブシステム３７０の一体部分を含む第１部分、及び第１部分の外側にある第２部分を有するものとみなされ得る。例えば、第１ＳＡＭ  ３５０の全て及び第２ＳＡＭ  ３６０の全てが第１側部耳部３８５と一体であった場合、第１部分は、第１ＳＡＭ通路３５１及び第２ＳＡＭ通路３６１を含み、一方で、第２部分は、第１ＳＡＭ通路３５１及び第２ＳＡＭ通路３６１の外側にある、第１側部耳部３８５の４つのおよそ三角形の区分を含む。このような実施形態では、この第１部分及び第２部分は、図１Ｃの実施形態と関連して記載されるように、様々な方法で構成され得る。
【００７３】
いくつかの実施形態において、物品内の１つ以上の負荷が、この負荷が固定サブシステム３７０の外側にある第１側部耳部３８５の一部に張力を生じ得る前に、固定サブシステム３７０内に張力を生じ得るように、使い捨て着用可能吸収性物品３１０は構成され得る。様々な実施形態において、物品内の１つ以上の負荷が、固定サブシステム３７０の外側にある第１側部耳部３８５の一部におけるよりも、固定サブシステム３７０内でより高い張力を生じ得るように、使い捨て着用可能吸収性物品３１０は構成され得る。
【００７４】
先に記載された要素に加え、図３Ｃの実施形態は張力線３７５を含む。張力線３７５は、固定サブシステム３７０が使い捨て着用可能吸収性物品３１０を着用者の適所に保持することを少なくとも補助し得るように、第１ＳＡＭ  ３５０及び第２ＳＡＭ  ３６０が得られる保持力で収集された負荷を均衡し得る様子を例示している。例えば、第１ＳＡＭ  ３５０は、第２端部３５９で及び／又は第１ＳＡＭ通路３５１に沿って負荷を収集することができ、負荷は、シャーシ３２０及び／又は第１側部耳部３８５など、使い捨て着用可能吸収性物品３１０の様々な部分を介して受容される。また例として、第２ＳＡＭ  ３６０は、第３端部３６３で及び／又は第２ＳＡＭ通路３６１に沿って負荷を収集することができ、負荷は、第２締結具３８４及び／又は第１側部耳部３８５など、使い捨て着用可能吸収性物品３１０の様々な部分を介して受容される。
【００７５】
更なる例では、第１ＳＡＭ  ３５０は第１端部３５３で保持力を得ることができ、力は、第１締結具３８２及び／又は第１側部耳部３８５など、使い捨て着用可能吸収性物品３１０の様々な部分を介して受容される。更なる例では、第１ＳＡＭ  ３５０はまた、第１ＳＡＭ  ３５０が第１ＳＡＭ通路３５１の下部で、着用者の身体との直接、又は間接的な接触から固定を受けると、第１ＳＡＭ通路３５１に沿って保持力を得ることができる。同様の例として、第２ＳＡＭ  ３６０は第４端部３６９で保持力を得ることができ、力は、シャーシ３２０及び／又は第１側部耳部３８５など、使い捨て着用可能吸収性物品３１０の様々な部分を介して受容される。別の同様の例として、第２ＳＡＭ  ３５０が固定されると、第２ＳＡＭ  ３６０は、第２ＳＡＭ通路３６１に沿って保持力を得ることができる。
【００７６】
固定サブシステム３７０は、吸収性コア３２５を着用者に間接的に固定するように構成され、そのため、第１ＳＡＭ  ３５０及び第２ＳＡＭ  ３６０が、吸収性コア３２５に直接接続されず、第１ＳＡＭ通路３５１及び第２ＳＡＭ通路３６１はそれぞれ吸収性コア領域３２６の外側に配置されるが、吸収性コア３２５からの負荷は使い捨て着用可能吸収性物品３１０の様々な部分を通じて第１ＳＡＭ  ３５０及び／又は第２ＳＡＭ  ３６０に伝達され得、これは得られる保持力で収集される負荷を均衡することができ、その結果、固定サブシステム３７０は、使い捨て着用可能吸収性物品３１０を着用者の適所に保持することを、少なくとも補助することができる。結果として、使い捨て着用可能吸収性物品３１０は、物品が着用者の適所に留まり、漏れを生じない傾向にあるために、快適に感じられ、魅力的に見え、良好に機能し得る。
【００７７】
図４Ａは、本開示の実施形態による、部分的に同一の広がりを持つ側部固定部材４５０、４６０を有する固定サブシステム４７０を含む、パンツ型使い捨て着用可能吸収性物品４１０の内側の平面図を例示する。使い捨て着用可能吸収性物品４１０は、横方向中心線４１７及び長手方向中心線４１３を含み、これは、使い捨て着用可能吸収性物品４１０の位置に対して、横方向内側４１２、横方向外側４１４、長手方向内側４１６、及び長手方向外側４１８相対位置を参照するための基準線を提供する。
【００７８】
使い捨て着用可能吸収性物品４１０はまた、シャーシ４２０、前側ウエストバンド４２１、シャーシ４２０の最も狭い部分４２２、前部４２３、長手方向縁部４２４を有する吸収性コア４２５、吸収性コア領域４２６、後部４２７、前側腰縁部４２４−Ｆ、後側腰縁部４２８−Ｂ、及び後側ウエストバンド４２９を含む。シャーシ４２０の一部が、吸収性コア４２５及び長手方向縁部４２４をより明瞭に示すために、一部を切り取ったものとして例示される。いくつかの実施形態では、前部４２３及び後部４２７は、使い捨て着用可能吸収性物品４１０の第１及び第２半体としてみなすことができるが、これらの半体は均等でないことがある。第１側部の前側部分４３１は、前部４２３内に配置される。第１側部の後側部分４３９は、後部４２７内に配置される。
【００７９】
使い捨て着用可能吸収性物品４１０は、第１サイドパネルを有し、これは第１サイドパネルの前側部分４３３及び第１サイドパネルの後側部分４３７を含み、これらは第１側部境界部分４３５を介して接続するように構成される。第１サイドパネルはまた、固定サブシステム４７０も含む。固定サブシステム４７０は、第１ＳＡＭ  ４５０及び第２ＳＡＭ４６０を含む。第１ＳＡＭ  ４５０は、第１ＳＡＭ通路４５１に沿って配置され、第１位置４５２に配置される第１端部４５３、第２位置４５８に配置される第２端部４５９、及び第１端部４５３と第２端部４５９の間の第１中央部４５５を含む。第２ＳＡＭ  ４６０は、第２ＳＡＭ通路４６１に沿って配置され、第３位置４６２に配置される第３端部４６３、第４位置４６８に配置される第４端部４６９、及び第３端部４６３と第４端部４６９との間の第２中央部４６５を含む。第１ＳＡＭ通路４５１の部分は、第２ＳＡＭ通路４６１とは別個である。しかしながら、第１中央部４５５の一部は、第２中央部４６５の一部と、通路の共通区分を共有し、そのため第１中央部４５５の一部は、第２中央部４６５の一部と同一の広がりを持つ。図４Ａ〜４Ｃの実施形態では、同一の広がりを持つ部分が第１側部境界部分４３５に橋渡しするが、いくつかの実施形態では、ＳＡＭ通路が第１サイドパネルの前側部分４３３、又は第１サイドパネルの後側部分４３７で交差し得る。様々な実施形態において、第１ＳＡＭ通路４５１及び／又は第２ＳＡＭ通路４６１の一部又は全てが、測地線として構成されることができ、それによって固定サブシステム４７０は測地線固定を提供することができる。
【００８０】
第２端部４５９及び第４端部４６９は双方とも、吸収性コア領域４２６の外側、第１側部の後側部分４３９、吸収性コア４２５の長手方向縁部４２４から横方向外側、シャーシ４２０の最も狭い部分４２２の横方向内側、及び第１サイドパネルの後側部分４３７の横方向内側縁部に近接する第１サイドパネルの後側部分４３７の内部に配置される。いくつかの実施形態では、第２端部４５９及び第４端部４６９の一方又は両方が、第１サイドパネルの後側部分４３７の外側、及び／又は第１側部の後側部分４３９の内部、及び／又はシャーシ４２０の最も狭い部分４２２から横方向外側、及び／又は吸収性コア４２５の長手方向縁部４２４の横方向内側、及び／又は吸収性コア領域４２６の内部の位置を含む、様々な位置に配置され得る。第４位置４６８は、第２位置４５８から長手方向外側にある。
【００８１】
第１端部４５３及び第３端部４６３は双方とも、吸収性コア領域４２６の外側、第１側部の前側部分４３１、吸収性コア４２５の長手方向縁部４２４から横方向外側、シャーシ４２０の最も狭い部分４２２の横方向内側、及び第１サイドパネルの前側部分４３３の横方向内側縁部に近接する第１サイドパネルの前側部分４３３の内部に配置される。いくつかの実施形態では、第１端部４５３及び第３端部４６３の一方又は両方が、第１サイドパネルの前側部分４３３の外側、及び／又は第１側部の前側部分４３１の内部、及び／又はシャーシ４２０の最も狭い部分４２２から横方向外側、及び／又は吸収性コア４２５の長手方向縁部４２４の横方向内側、及び／又は吸収性コア領域４２６の内部の位置を含む、様々な位置に配置され得る。第３位置４６２は、第１位置４５２から長手方向内側にある。
【００８２】
固定サブシステム４７０は、吸収性コア４２５に直接接続されず、吸収性コア領域４２６の外側にあり、そのため固定サブシステム４７０は吸収性コア４２５から分離している。第１ＳＡＭ４５０又は第２ＳＡＭ４６０のいずれも、着用者の下部胴体を実質的に又は完全に取り囲まないため、かつ固定サブシステム４７０は使い捨て着用可能吸収性物品４１０の特定の画定された部分の内部に収容されるため、固定サブシステム４７０はサブシステムとしてみなされる。図４Ａ〜４Ｃの実施形態では、固定サブシステム４７０は、使い捨て着用可能吸収性物品４７０の第１側部の内部に収容されるため、固定サブシステム４７０は、側部固定サブシステムとしてみなされる。使い捨て着用可能吸収性物品４１０はまた、外側カバーを含むことができ、これは、様々な実施形態において、固定サブシステム４７０から分離している場合がある。いくつかの実施形態では、このような外側カバーの部分又は全部が、伸張可能、弾性、又は延伸性であり得る。
【００８３】
使い捨て着用可能吸収性物品４１０はまた、前部４２３に配置される第２側部の前側部分４４１内、及び後部４２７内に配置される第２側部の後側部分４４９を有する第２側部を含む。使い捨て着用可能吸収性物品４１０は、第２サイドパネルを有し、これは第２サイドパネルの前側部分４４３及び第２サイドパネルの後側部分４４７を含み、これらは第２側部境界部分４４５を介して接続するように構成される。第２サイドパネルは、第１サイドパネルと同様に構成されるが、様々な実施形態において、第２サイドパネルは、別の方法として、異なる様式で構成され得る。
【００８４】
図４Ｂは、着用のために形成される、図４Ａの実施形態の使い捨て着用可能吸収性物品４１０の外側の斜視図を例示する。図４Ｂの実施形態では、第１側部は、第１側部境界部分４３５を介して接続されている。
【００８５】
図４Ｃは、図４Ｂの実施形態の使い捨て着用可能吸収性物品４１０の側部の一部の拡大図を例示する。第１側部境界部分４３５に近接する接続部４３６は、第１サイドパネルの前側部分４３３と、第１サイドパネルの後側部分４３７を接続し、第１側部を形成する。接続部４３６は、例えば、締結可能な接続部又は耐久性接続部など、様々な形態をとることができる。接続部４３６の位置は、様々な実施形態で変化し得る。いくつかの実施形態では、側部は別の方法として、側部内で、様々な位置における２つ以上の接続部で、又は別個の接続部を伴わずに、形成され得る。
【００８６】
本開示の様々な実施形態において、固定サブシステム４７０の１つ以上の部分、又は少なくとも一部が、第１サイドパネルに構造的に付随することができる。いくつかの実施形態では、固定サブシステム４７０の少なくとも一部、又は固定サブシステム４７０の実質的に全部、又は更に固定サブシステム４７０の全部が、第１サイドパネルと別個であるか、あるいはこれに接合される、取り付けられる、若しくは埋め込まれるか、又はこれと一体であることができる。様々な実施形態において、第１ＳＡＭ  ４５０及び／又は第２ＳＡＭ  ４６０の少なくとも一部、又は第１ＳＡＭ  ４５０及び／又は第２ＳＡＭ  ４６０の実質的に全部、又は更に第１ＳＡＭ  ４５０及び／又は第２ＳＡＭ  ４６０の全部が、第１サイドパネルと別個であるか、あるいはこれに接合される、若しくは取り付けられる、若しくは埋め込まれる、又はこれと一体であることができる。
【００８７】
固定サブシステム４７０の１つ以上の部分が第１サイドパネルと一体である実施形態では、第１サイドパネルは、固定サブシステム４７０の一体部分を含む第１部分、及び第１部分の外側にある第２部分を有するものとみなされ得る。例えば、第１ＳＡＭ  ４５０の全て及び第２ＳＡＭ  ４６０の全てが第１サイドパネルと一体であった場合、第１部分は、第１ＳＡＭ通路４５１及び第２ＳＡＭ通路４６１を含み、一方で、第２部分は、第１ＳＡＭ通路４５１及び第２ＳＡＭ通路４６１の外側にある、第１サイドパネルの４つのおよそ三角形の区分を含む。このような実施形態では、この第１部分及び第２部分は、図１Ｃの実施形態と関連して記載されるように、様々な方法で構成され得る。
【００８８】
いくつかの実施形態において、物品内の１つ以上の負荷が、この負荷が固定サブシステム４７０の外側にある第１サイドパネルの一部に張力を生じ得る前に、固定サブシステム４７０内に張力を生じ得るように、使い捨て着用可能吸収性物品４１０は構成され得る。様々な実施形態において、使い捨て着用可能吸収性物品４１０は、物品内の１つ以上の負荷が、固定サブシステム４７０の外側にある第１サイドパネルの一部におけるよりも、固定サブシステム４７０内でより高い張力を生じ得るように、使い捨て着用可能吸収性物品４１０は構成され得る。
【００８９】
先に記載された要素に加え、図４Ｃの実施形態は張力線４７５を含む。張力線４７５は、固定サブシステム４７０が使い捨て着用可能吸収性物品４１０を着用者の適所に保持することを少なくとも補助し得るように、第１ＳＡＭ  ４５０及び第２ＳＡＭ  ４６０が得られる保持力で収集された負荷を均衡し得る様子を例示している。例えば、第１ＳＡＭ  ４５０は第２端部４５９で、及び／又は第１ＳＡＭ通路４５１に沿って負荷を収集することができる。また、例として、第２ＳＡＭ  ４６０は、第３端部４６３で、及び／又は第２ＳＡＭ通路４６１に沿って負荷を収集することができる。更なる例では、第１ＳＡＭ  ４５０は、第１ＳＡＭ  ４５０が第１ＳＡＭ通路４５１の下部で、着用者の身体との直接、又は間接的な接触から固定を受けると、第１端部４５３で及び／又は第１ＳＡＭ通路４５１に沿って保持力を得ることができる。なお更なる例では、第２ＳＡＭ  ４５０が固定されると、第２ＳＡＭ  ４６０は、第４端部４６９で及び／又は第２ＳＡＭ通路４６１に沿って保持力を得ることができる。これらの負荷及び力は、シャーシ４２０及び／又は第１サイドパネルなど、使い捨て着用可能吸収性物品４１０の様々な部分を通じて受容され得る。
【００９０】
固定サブシステム４７０は、吸収性コア４２５を着用者に間接的に固定するように構成され、そのため、第１ＳＡＭ  ４５０及び第２ＳＡＭ  ４６０が、吸収性コア４２５に直接接続されず、第１ＳＡＭ通路４５１及び第２ＳＡＭ通路４６１はそれぞれ吸収性コア領域４２６の外側に配置されるが、吸収性コア４２５からの負荷は使い捨て着用可能吸収性物品４１０の様々な部分を介して第１ＳＡＭ  ４５０及び／又は第２ＳＡＭ  ４６０に伝達され得、これは得られる保持力で収集される負荷を均衡することができ、その結果、固定サブシステム４７０は、使い捨て着用可能吸収性物品４１０を着用者の適所に保持することを、少なくとも補助することができる。結果として、使い捨て着用可能吸収性物品４１０は、物品が着用者の適所に留まり、漏れを生じない傾向にあるために、快適に感じられ、魅力的に見え、良好に機能し得る。
【００９１】
図５Ａは、本開示の実施形態による、部分的に同一の広がりを持つ、側部固定部材５５０、５６０、及びそれぞれ１つの締結具を有する側部耳部を有する固定サブシステム５７０を含む、締結可能な使い捨て着用可能吸収性物品５１０の内側の平面図を例示する。使い捨て着用可能吸収性物品５１０は、横方向中心線５１７及び長手方向中心線５１３を含み、これは、使い捨て着用可能吸収性物品５１０の位置に対して、横方向内側５１２、横方向外側５１４、長手方向内側５１６、及び長手方向外側５１８を参照するための基準線を提供する。
【００９２】
使い捨て着用可能吸収性物品５１０はまた、シャーシ５２０、シャーシ５２０の最も狭い部分５２２、前部５２３、長手方向縁部５２４を有する吸収性コア５２５、吸収性コア領域５２６、後部５２７、前側腰縁部５２８−Ｆ、及び後側腰縁部５２８−Ｂを含む。シャーシ５２０の一部が、吸収性コア５２５及び長手方向縁部５２４をより明瞭に示すために、一部を切り取ったものとして例示される。いくつかの実施形態では、前部５２３及び後部５２７は、使い捨て着用可能吸収性物品５１０の第１及び第２半体としてみなすことができるが、これらの半体は均等でないことがある。第１側部の前側部分５８１は、前部５２３内に配置される。第１側部の後側部分５８９は、後部５２７内に配置される。
【００９３】
使い捨て着用可能吸収性物品５１０は、第１側部の後側部分５８９に接続される第１側部耳部５８５を有する。第１側部耳部５８５は、締結具５８３及び固定サブシステム５７０を含む。固定サブシステム５７０は、第１ＳＡＭ  ５５０及び第２ＳＡＭ  ５６０を含む。第１ＳＡＭ  ５５０は、第１ＳＡＭ通路５５１に沿って配置され、第１位置５５２に配置される第１端部５５３、第２位置５５８に配置される第２端部５５９、及び第１端部５５３と第２端部５５９の間の第１中央部５５５を含む。第２ＳＡＭ  ５６０は、第２ＳＡＭ通路５６１に沿って配置され、第３位置５６２に配置される第３端部５６３、第４位置５６８に配置される第４端部５６９、及び第３端部５６３と第４端部５６９の間の第２中央部５６５を含む。第１ＳＡＭ通路５５１の部分は、第２ＳＡＭ通路５６１とは別個である。しかしながら、第１中央部５５５の一部は、第２中央部５６５の一部と、通路の共通区分を共有し、そのため第１中央部５５５の一部は、第２中央部５６５の一部と同一の広がりを持つ。様々な実施形態において、第１ＳＡＭ通路５５１及び／又は第２ＳＡＭ通路５６１の部分又は全てが、測地線として構成されることができ、それによって固定サブシステム５７０は測地線固定を提供することができる。
【００９４】
第２端部５５９及び第４端部５６９は双方とも、吸収性コア領域５２６の外側、第１側部の後側部分５８９、吸収性コア５２５の長手方向縁部５２４から横方向外側、シャーシ５２０の最も狭い部分５２２の横方向外側、及び第１側部耳部５８５の横方向内側縁部に近接する第１側部耳部５８５の内部に配置される。いくつかの実施形態では、第２端部５５９及び第４端部５６９の一方又は両方が、第１側部耳部５８５の外側、及び／又は第１側部の後側部分５８９の内部、及び／又はシャーシ５２０の最も狭い部分５２２から横方向内側、及び／又は吸収性コア５２５の長手方向縁部５２４の横方向内側、及び／又は吸収性コア領域５２６の内部の位置を含む、様々な位置に配置され得る。第４位置５６８は、第２位置５５８から長手方向外側にある。第１端部５５３及び第３端部５６３は、双方とも第１側部耳部５８５の内部に配置される。第１端部５５３及び第３端部５６３の配置が、図５Ｃの実施形態と関連して更に記載される。
【００９５】
固定サブシステム５７０は、吸収性コア５２５に直接接続されず、吸収性コア領域５２６の外側にあり、そのため固定サブシステム５７０は吸収性コア５２５から分離している。第１ＳＡＭ  ５５０又は第２ＳＡＭ  ５６０のいずれも、着用者の下部胴体を実質的に又は完全に取り囲まないため、かつ固定サブシステム５７０は使い捨て着用可能吸収性物品５１０の特定の画定された部分の内部に収容されるため、固定サブシステム５７０はサブシステムとしてみなされる。図５Ａ〜５Ｃの実施形態では、固定サブシステム５７０は、使い捨て着用可能吸収性物品５７０の第１側部の内部に収容されるため、固定サブシステム５７０は、側部固定サブシステムとしてみなされる。使い捨て着用可能吸収性物品５１０はまた、外側カバーを含むことができ、これは、様々な実施形態において、固定サブシステム５７０から分離している場合がある。いくつかの実施形態では、このような外側カバーの一部又は全部が、伸張可能、弾性、又は延伸性であり得る。
【００９６】
使い捨て着用可能吸収性物品５１０はまた、第２側部の前側部分５９１及び第２側部の後側部分５９９に接続される第２側部耳部５９５を含む。第２側部耳部５９５は、第１側部耳部５８５と同様に構成されるが、様々な実施形態において、第２側部耳部５９５は、別の方法として、異なる様式で構成され得る。使い捨て着用可能吸収性物品５１０は、締結領域５９０を更に含む。
【００９７】
図５Ｂは、着用のために形成される、図５Ａの実施形態の使い捨て着用可能吸収性物品５１０の外側の斜視図を例示する。図５Ｂの実施形態では、締結具５８３は、締結領域５９０に締結される。
【００９８】
図５Ｃは、図５Ｂの実施形態の使い捨て着用可能吸収性物品５１０の側部の一部の拡大図を例示する。締結具５８３は締結領域５９０に締結され、それによって第１側部耳部５８５が前部５２３を後部５２７に締結する。結果として、第１側部耳部５８５の一部が前部５２３に配置され、第１側部耳部５８５の一部が後部５２７に配置される。この締結構成では、第１端部５５３及び第３端部５６３は双方とも、吸収性コア領域５２６の外側、第１側部の前側部分５８１、吸収性コア５２５の長手方向縁部５２４から横方向外側、シャーシ５２０の最も狭い部分５２２の横方向外側、及び第１側部耳部５８５内部に配置される。第１端部５５３は、締結具５８３の横方向内側縁部の近傍に配置され、第３端部５６３は、第１側部耳部５８５の長手方向内側縁部の近傍に配置される。様々な実施形態では、第３端部５６３はまた、締結具５８３の縁部の近傍に配置され得る。いくつかの実施形態では、締結具５８３は、第１端部５５３及び第３端部５６３の一方又は両方が、シャーシ５２０の最も狭い部分５２２の横方向内側、及び／又は吸収性コア５２５の長手方向軸５２４の横方向内側、及び／又は第１側部の前側部分５８１の内部、及び／又は吸収性コア領域５２６の内部の位置を含む、様々な位置に配置され得るように締結されることができる。第３位置５６２は、第１位置５５２から長手方向内側にある。図５Ａ〜５Ｃの実施形態のバリエーションでは、図２Ｄの実施形態で記載されるように、第１側部耳部５８５はまた、第２ＳＡＭ  ５６０の第３端部５６３の近傍に配置される受動的締結具を含み得る。
【００９９】
本開示の様々な実施形態において、固定サブシステム５７０の１つ以上の部分、又は少なくとも一部が、第１側部耳部５８５に構造的に付随することができる。いくつかの実施形態では、固定サブシステム５７０の少なくとも一部、又は固定サブシステム５７０の実質的に全部、又は更に固定サブシステム５７０の全部が、第１側部耳部５８５と別個であるか、あるいはこれに接合される、取り付けられる、若しくは埋め込まれるか、又はこれと一体であることができる。様々な実施形態において、第１ＳＡＭ  ５５０及び／又は第２ＳＡＭ  ５６０の少なくとも一部、又は第１ＳＡＭ  ５５０及び／又は第２ＳＡＭ  ５６０の実質的に全部、又は更に第１ＳＡＭ  ５５０及び／又は第２ＳＡＭ  ５６０の全部が、第１側部耳部５８５と別個であるか、あるいはこれに接合される、取り付けられる、若しくは埋め込まれる、又はこれと一体であることができる。
【０１００】
固定サブシステム５７０の１つ以上の部分が第１側部耳部５８５と一体である実施形態では、第１側部耳部５８５は、固定サブシステム５７０の一体部分を含む第１部分、及び第１部分の外側にある第２部分を有するものとみなされ得る。例えば、第１ＳＡＭ  ５５０の全て及び第２ＳＡＭ  ５６０の全てが第１側部耳部５８５と一体であった場合、第１部分は、第１ＳＡＭ通路５５１及び第２ＳＡＭ通路５６１を含み、一方で、第２部分は、第１ＳＡＭ通路５５１及び第２ＳＡＭ通路５６１の外側にある、第１側部耳部５８５の４つのおよそ三角形の区分を含む。このような実施形態では、この第１部分及び第２部分は、図１Ｃの実施形態と関連して記載されるように、様々な方法で構成され得る。
【０１０１】
いくつかの実施形態において、物品内の１つ以上の負荷が、この負荷が固定サブシステム５７０の外側にある第１側部耳部５８５の一部に張力を生じ得る前に、固定サブシステム５７０内に張力を生じ得るように、使い捨て着用可能吸収性物品５１０は構成され得る。様々な実施形態において、物品内の１つ以上の負荷が、固定サブシステム５７０の外側にある第１側部耳部５８５の一部におけるよりも、固定サブシステム５７０内でより高い張力を生じ得るように、使い捨て着用可能吸収性物品５１０は構成され得る。
【０１０２】
先に記載された要素に加え、図５Ｃの実施形態は張力線５７５を含む。張力線５７５は、固定サブシステム５７０が使い捨て着用可能吸収性物品５１０を着用者の適所に保持することを少なくとも補助し得るように、第１ＳＡＭ  ５５０及び第２ＳＡＭ  ５６０が得られる保持力で収集された負荷を均衡し得る様子を例示している。例えば、第１ＳＡＭ  ５５０は、第２端部５５９で及び／又は第１ＳＡＭ通路５５１に沿って負荷を収集することができ、負荷は、シャーシ５２０及び／又は第１側部耳部５８５など、使い捨て着用可能吸収性物品５１０の様々な部分を通じて受容される。また例として、第２ＳＡＭ５６０は、第３端部５６３で及び／又は第２ＳＡＭ通路５６１に沿って負荷を収集することができ、負荷は、締結具５８３及び／又は第１側部耳部５８５など、使い捨て着用可能吸収性物品５１０の様々な部分を介して受容される。
【０１０３】
更なる例では、第１ＳＡＭ  ５５０は第１端部５５３で保持力を得ることができ、力は、締結具５８３及び／又は第１側部耳部５８５など、使い捨て着用可能吸収性物品５１０の様々な部分を介して受容される。更なる例では、第１ＳＡＭ  ５５０はまた、第１ＳＡＭ  ５５０が第１ＳＡＭ通路５５１の下部で着用者の身体との直接又は間接的な接触から固定を受けると、第１ＳＡＭ通路５５１に沿って保持力を得ることができる。同様の例として、第２ＳＡＭ  ５６０は第４端部５６９で保持力を得ることができ、力は、シャーシ５２０及び／又は第１側部耳部５８５など、使い捨て着用可能吸収性物品５１０の様々な部分を介して受容される。別の同様の例として、第２ＳＡＭ  ５５０が固定されると、第２ＳＡＭ  ５６０は、第２ＳＡＭ通路５６１に沿って保持力を得ることができる。
【０１０４】
固定サブシステム５７０は、吸収性コア５２５を着用者に間接的に固定するように構成され、そのため、第１ＳＡＭ  ５５０及び第２ＳＡＭ  ５６０が、吸収性コア５２５に直接接続されず、第１ＳＡＭ通路５５１及び第２ＳＡＭ通路５６１はそれぞれ吸収性コア領域５２６の外側に配置されるが、吸収性コア５２５からの負荷は使い捨て着用可能吸収性物品５１０の様々な部分を介して第１ＳＡＭ  ５５０及び／又は第２ＳＡＭ  ５６０に伝達され得、これは得られる保持力で収集される負荷を均衡することができ、その結果固定サブシステム５７０は、使い捨て着用可能吸収性物品５１０を着用者の適所に保持することを、少なくとも補助することができる。結果として、使い捨て着用可能吸収性物品５１０は、物品が着用者の適所に留まり、漏れを生じない傾向にあるために、快適に感じられ、魅力的に見え、良好に機能し得る。
【０１０５】
図６Ａは、本開示の実施形態による、部分的に同一の広がりを持つ側部固定部材６５０、６６０、及びそれぞれ２つの締結具を有する側部耳部６８５、６９５を有する固定サブシステム６７０を含む、締結可能な使い捨て着用可能吸収性物品６１０の内側の平面図を例示する。使い捨て着用可能吸収性物品６１０は、横方向中心線６１７及び長手方向中心線６１３を含み、これは、使い捨て着用可能吸収性物品６１０の位置に対して、横方向内側６１２、横方向外側６１４、長手方向内側６１６、及び長手方向外側６１８を参照するための基準線を提供する。
【０１０６】
使い捨て着用可能吸収性物品６１０はまた、シャーシ６２０、シャーシ６２０の最も狭い部分６２２、前部６２３、長手方向縁部６２４を有する吸収性コア６２５、吸収性コア領域６２６、後部６２７、前側腰縁部６２８−Ｆ、及び後側腰縁部６２８−Ｂを含む。シャーシ６２０の一部が、吸収性コア６２５及び長手方向縁部６２４をより明瞭に示すために、一部を切り取ったものとして例示される。いくつかの実施形態では、前部６２３及び後部６２７は、使い捨て着用可能吸収性物品６１０の第１及び第２半体としてみなすことができるが、これらの半体は均等でないことがある。第１側部の前側部分６８１は、前部６２３内に配置される。第１側部の後側部分６８９は、後部６２７内に配置される。
【０１０７】
使い捨て着用可能吸収性物品６１０は、第１側部の後側部分６８９に接続される第１側部耳部６８５を有する。第１側部耳部６８５は、第１締結具６８２、第２締結具６８４、及び固定サブシステム６７０を含む。固定サブシステム６７０は、第１ＳＡＭ  ６５０及び第２ＳＡＭ  ６６０を含む。第１ＳＡＭ  ６５０は、第１ＳＡＭ通路６５１に沿って配置され、第１位置６５２に配置される第１端部６５３、第２位置６５８に配置される第２端部６５９、及び第１端部６５３と第２端部６５９の間の第１中央部６５５を含む。第２ＳＡＭ  ６６０は、第２ＳＡＭ通路６６１に沿って配置され、第３位置６６２に配置される第３端部６６３、第４位置６６８に配置される第４端部６６９、及び第３端部６６３と第４端部６６９の間の第２中央部６６５を含む。第１ＳＡＭ通路６５１の部分は、第２ＳＡＭ通路６６１とは別個である。しかしながら、第１中央部６５５の一部は、第２中央部６６５の一部と、通路の共通区分を共有し、そのため第１中央部６５５の一部は、第２中央部６６５の一部と同一の広がりを持つ。様々な実施形態において、第１ＳＡＭ通路６５１及び／又は第２ＳＡＭ通路６６１の一部又は全てが、測地線として構成されることができ、それによって固定サブシステム６７０は測地線固定を提供することができる。
【０１０８】
第２端部６５９及び第４端部６６９は双方とも、吸収性コア領域６２６の外側、第１側部の後側部分６８９、吸収性コア６２５の長手方向縁部６２４から横方向外側、シャーシ６２０の最も狭い部分６２２の横方向外側、及び第１側部耳部６８５の横方向内側縁部に近接する第１側部耳部６８５の内部に配置される。いくつかの実施形態では、第２端部６５９及び第４端部６６９の一方又は両方が、第１側部耳部６８５の外側、及び／又は第１側部の後側部分６８９の内部、及び／又はシャーシ６２０の最も狭い部分６２２から横方向内側、及び／又は吸収性コア６２５の長手方向縁部６２４の横方向内側、及び／又は吸収性コア領域６２６の内部の位置を含む、様々な位置に配置され得る。第４位置６６８は、第２位置６５８から長手方向外側にある。第１端部６５３及び第３端部６６３は、双方とも第１側部耳部６８５の内部に配置される。第１端部６５３及び第３端部６６３の配置が、図６Ｃの実施形態と関連して更に記載される。
【０１０９】
固定サブシステム６７０は、吸収性コア６２５に直接接続されず、吸収性コア領域６２６の外側にあり、そのため固定サブシステム６７０は吸収性コア６２５から分離している。第１ＳＡＭ  ６５０又は第２ＳＡＭ  ６６０のいずれも、着用者の下部胴体を実質的に又は完全に取り囲まないため、かつ固定サブシステム６７０は使い捨て着用可能吸収性物品６１０の特定の画定された部分の内部に収容されるため、固定サブシステム６７０はサブシステムとしてみなされる。図６Ａ〜６Ｃの実施形態では、固定サブシステム６７０は、使い捨て着用可能吸収性物品６７０の第１側部の内部に収容されるため、固定サブシステム６７０は、側部固定サブシステムとしてみなされる。使い捨て着用可能吸収性物品６１０はまた、外側カバーを含むことができ、これは、様々な実施形態において、固定サブシステム６７０から分離している場合がある。いくつかの実施形態では、このようなカバーの一部又は全部が、伸張可能、弾性、又は延伸性であり得る。
【０１１０】
使い捨て着用可能吸収性物品６１０はまた、第２側部の前側部分６９１及び第２側部の後側部分６９９に接続される第２側部耳部６９５を含む。第２側部耳部６９５は、第１側部耳部６８５と同様に構成されるが、様々な実施形態において、第２側部耳部６９５は、別の方法として、異なる様式で構成され得る。使い捨て着用可能吸収性物品６１０は更に、第１締結領域６９０−１及び第２締結領域６９０−２を含む。
【０１１１】
図６Ｂは、着用のために形成される、図６Ａの実施形態の使い捨て着用可能吸収性物品６１０の外側の斜視図を例示する。図６Ｂの実施形態では、第１締結具６８２は、第１締結領域６９０−１に締結され、第２締結具６８４は、第２締結領域６９０−２に締結される。
【０１１２】
図６Ｃは、図６Ｂの実施形態の使い捨て着用可能吸収性物品６１０の側部の一部の拡大図を例示する。第１締結具６８２は、第１締結領域６９０−１に締結され、第２締結具６８４は第２締結領域６９０−２に締結され、その結果、第１側部耳部６８５は前部６２３を後部６２７に締結する。結果として、第１側部耳部６８５の一部が前部６２３内に配置され、第１側部耳部６８５の一部が後部６２７内に配置される。この締結構成では、第１端部６５３及び第３端部６６３は双方とも、吸収性コア領域６２６の外側、第１側部の前側部分６８１、吸収性コア６２５の長手方向縁部６２４から横方向外側、シャーシ６２０の最も狭い部分６２２の横方向外側、及び第１側部耳部６８５内部に配置される。第１端部６５３は、第１締結具６８２の縁部の近傍に配置され、第３端部６６３は、第２締結具６８４の縁部の近傍に配置される。いくつかの実施形態では、第１締結具６８２及び第２締結具６８４は、第１端部６５３及び第３端部６６３の一方又は両方が、シャーシ６２０の最も狭い部分６２２の横方向内側、及び／又は吸収性コア６２５の長手方向縁部６２４の横方向内側、及び／又は第１側部の前側部分６８１の内部、及び／又は吸収性コア領域６２６の内部を含む、様々な位置に配置され得るように、締結され得る。第３位置６６２は、第１位置６５２から長手方向内側にある。
【０１１３】
本開示の様々な実施形態において、固定サブシステム６７０の１つ以上の部分、又は少なくとも一部が、第１側部耳部６８５に構造的に付随することができる。いくつかの実施形態では、固定サブシステム６７０の少なくとも一部、又は固定サブシステム６７０の実質的に全部、又は更に固定サブシステム６７０の全部が、第１側部耳部６８５と別個であるか、あるいはこれに接合される、取り付けられる、若しくは埋め込まれるか、又はこれと一体であることができる。様々な実施形態において、第１ＳＡＭ  ６５０及び／又は第２ＳＡＭ  ６６０の少なくとも一部、又は第１ＳＡＭ  ６５０及び／又は第２ＳＡＭ  ６６０の実質的に全部、又は更に第１ＳＡＭ  ６５０及び／又は第２ＳＡＭ  ６６０の全部が、第１側部耳部６８５と別個であるか、あるいはこれに接合される、若しくは取り付けられる、若しくは埋め込まれる、又はこれと一体であることができる。
【０１１４】
固定サブシステム６７０の１つ以上の部分が第１側部耳部６８５と一体である実施形態では、第１側部耳部６８５は、固定サブシステム６７０の一体部分を含む第１部分、及び第１部分の外側にある第２部分を有するものとみなされ得る。例えば、第１ＳＡＭ  ６５０の全て及び第２ＳＡＭ  ６６０の全てが第１側部耳部６８５と一体であった場合、第１部分は、第１ＳＡＭ通路６５１及び第２ＳＡＭ通路６６１を含み、一方で、第２部分は、第１ＳＡＭ通路６５１及び第２ＳＡＭ通路６６１の外側にある、第１側部耳部６８５の４つのおよそ三角形の区分を含む。このような実施形態では、この第１部分及び第２部分は、図１Ｃの実施形態と関連して記載されるように、様々な方法で構成され得る。
【０１１５】
いくつかの実施形態において、物品内の１つ以上の負荷が、この負荷が固定サブシステム６７０の外側にある第１側部耳部６８５の一部に張力を生じ得る前に、固定サブシステム６７０内に張力を生じ得るように、使い捨て着用可能吸収性物品６１０は構成され得る。様々な実施形態において、物品内の１つ以上の負荷が、固定サブシステム６７０の外側にある第１側部耳部６８５の一部におけるよりも、固定サブシステム６７０内でより高い張力を生じ得るように、使い捨て着用可能吸収性物品６１０は構成され得る。
【０１１６】
先に記載された要素に加え、図６Ｃの実施形態は張力線６７５を含む。張力線６７５は、固定サブシステム６７０が使い捨て着用可能吸収性物品６１０を着用者の適所に保持することを少なくとも補助し得るように、第１ＳＡＭ  ６５０及び第２ＳＡＭ  ６６０が得られる保持力で収集された負荷を均衡し得る様子を例示している。例えば、第１ＳＡＭ  ６５０は、第２端部６５９で及び／又は第１ＳＡＭ通路６５１に沿って負荷を収集することができ、負荷は、シャーシ６２０及び／又は第１側部耳部６８５など、使い捨て着用可能吸収性物品６１０の様々な部分を介して受容される。また例として、第２ＳＡＭ  ６６０は、第３端部６６３で及び／又は第２ＳＡＭ通路６６１に沿って負荷を収集することができ、負荷は、第２締結具６８４及び／又は第１側部耳部６８５など、使い捨て着用可能吸収性物品６１０の様々な部分を介して受容される。
【０１１７】
更なる例では、第１ＳＡＭ  ６５０は第１端部６５３で保持力を得ることができ、力は、第１締結具６８２及び／又は第１側部耳部６８５など、使い捨て着用可能吸収性物品６１０の様々な部分を介して受容される。更なる例では、第１ＳＡＭ  ６５０はまた、第１ＳＡＭ  ６５０が第１ＳＡＭ通路６５１の下部で、着用者の身体との直接、又は間接的な接触から固定を受けると、第１ＳＡＭ通路６５１に沿って保持力を得ることができる。同様の例として、第２ＳＡＭ  ６６０は第４端部６６９で保持力を得ることができ、力は、シャーシ６２０及び／又は第１側部耳部６８５など、使い捨て着用可能吸収性物品６１０の様々な部分を通じて受容される。別の同様の例として、第２ＳＡＭ  ６５０が固定されると、第２ＳＡＭ  ６６０は、第２ＳＡＭ通路６６１に沿って保持力を得ることができる。
【０１１８】
固定サブシステム６７０は、吸収性コア６２５を着用者に間接的に固定するように構成され、そのため、第１ＳＡＭ  ６５０及び第２ＳＡＭ  ６６０が、吸収性コア６２５に直接接続されず、第１ＳＡＭ通路６５１及び第２ＳＡＭ通路６６１はそれぞれ吸収性コア領域６２６の外側に配置されるが、吸収性コア６２５からの負荷は使い捨て着用可能吸収性物品６１０の様々な部分を介して第１ＳＡＭ  ６５０及び／又は第２ＳＡＭ  ６６０に伝達され得、これは得られる保持力で収集される負荷を均衡することができ、その結果、固定サブシステム６７０は、使い捨て着用可能吸収性物品６１０を着用者の適所に保持することを、少なくとも補助することができる。結果として、使い捨て着用可能吸収性物品６１０は、物品が着用者の適所に留まり、漏れを生じない傾向にあるために、快適に感じられ、魅力的に見え、良好に機能し得る。
【０１１９】
図７Ａは、本開示の実施形態による、部分的に同一の広がりを持ち、部分的に同一延長上にある、側部固定部材７５０、７６０を有する固定サブシステム７７０を含む、パンツ型使い捨て着用可能吸収性物品７１０の内側の平面図を例示する。使い捨て着用可能吸収性物品７１０は、横方向中心線７１７及び長手方向中心線７１３を含み、これは、使い捨て着用可能吸収性物品７１０に対して、横方向内側７１２、横方向外側７１４、長手方向内側７１６、及び長手方向外側７１８を参照するための基準線を提供する。
【０１２０】
使い捨て着用可能吸収性物品７１０はまた、シャーシ７２０、前側ウエストバンド７２１、シャーシ７２０の最も狭い部分７２２、前部７２３、長手方向縁部７２４を有する吸収性コア７２５、吸収性コア領域７２６、後部７２７、前側腰縁部７２８−Ｆ、後側腰縁部７２８−Ｂ、及び後側ウエストバンド７２９を含む。シャーシ７２０の一部が、吸収性コア７２５及び長手方向縁部７２４をより明瞭に示すために、一部を切り取ったものとして例示される。いくつかの実施形態では、前部７２３及び後部７２７は、使い捨て着用可能吸収性物品７１０の第１及び第２半体としてみなすことができるが、これらの半体は均等でないことがある。第１側部の前側部分７３１は、前部７２３内に配置される。第１側部の後側部分７３９は、後部７２７内に配置される。
【０１２１】
使い捨て着用可能吸収性物品７１０は、第１サイドパネルを有し、これは第１サイドパネルの前側部分７３３及び第１サイドパネルの後側部分７３７を含み、これらは第１側部境界部分７３５によって接続するように構成される。第１サイドパネルはまた、固定サブシステム７７０も含む。固定サブシステム７７０は、第１ＳＡＭ  ７５０及び第２ＳＡＭ  ７６０を含む。第１ＳＡＭ  ７５０は、第１ＳＡＭ通路７５１に沿って配置され、第１位置７５２に配置される第１端部７５３、第２位置７５８に配置される第２端部７５９、及び第１端部７５３と第２端部７５９の間の第１中央部７５５を含む。第２ＳＡＭ  ７６０は、第２ＳＡＭ通路７６１に沿って配置され、第３位置７６２に配置される第３端部７６３、第４位置７６８に配置される第４端部７６９、及び第３端部７６３と第４端部７６９の間との第２中央部７６５を含む。
【０１２２】
およそ第１端部７５３からおよそ第１中央部７５５までの第１ＳＡＭ通路７５１の一部は、およそ第３端部７６３からおよそ第２中央部７６５までの第２ＳＡＭ通路７６１の一部とは別個である。しかしながら、およそ第１中央部７５５から第２端部７５９までの第１ＳＡＭ通路７５１の一部は、およそ第２中央部７６５から第４端部７６９までの、第２ＳＡＭ通路７６１の一部と、通路の共通区分を共有する。結果として、第１ＳＡＭ通路７５１の一部は、第２ＳＡＭ通路７６１の一部と同一の広がりを持つ。図７Ａ〜７Ｃの実施形態では、同一の広がりを持つ部分は第１サイドパネルの前側部分７３３から始まるが、いくつかの実施形態では、同一の広がりを持つ部分は第１サイドパネルの後側部分７３７から始まり得る。使い捨て着用可能吸収性物品７１０の別の実施形態では、第１ＳＡＭ通路７５１及び第２ＳＡＭ通路７６１は、前部から後部へと反転させることができ、その結果、通路は第１サイドパネルの前側部分７３３で同一の広がりを持ち、第１サイドパネルの後側部分７３７で別個である。様々な実施形態において、第１ＳＡＭ通路７５１及び／又は第２ＳＡＭ通路７６１の一部又は全てが、測地線として構成されることができ、それによって固定サブシステム７７０は測地線固定を提供することができる。
【０１２３】
第２端部７５９及び第４端部７６９は双方とも、吸収性コア領域７２６の外側、第１側部の後側部分７３９、吸収性コア７２５の長手方向縁部７２４から横方向外側、シャーシ７２０の最も狭い部分７２２の横方向内側、及び第１サイドパネルの後側部分７３７の横方向内側縁部に近接する第１サイドパネルの後側部分７３７の内部に配置される。いくつかの実施形態では、第２端部７５９及び第４端部７６９の一方又は両方が、第１サイドパネルの後側部分７３７の外側、及び／又は第１側部の後側部分７３９の内部、及び／又はシャーシ７２０の最も狭い部分７２２から横方向外側、及び／又は吸収性コア７２５の長手方向縁部７２４の横方向内側、及び／又は吸収性コア領域７２６の内部の位置を含む、様々な位置に配置され得る。第４位置７６８は、第２位置７５８から長手方向外側にある。第２位置７５８が、第４位置７６８と少なくとも部分的に重複し、それによって第１ＳＡＭ通路８５１及び第２ＳＡＭ通路８６１が、これらの第２端部７５９及び第４端部７６９において同一延長上にある。いくつかの実施形態では、第２位置７５８は、第４位置７６８と、実質的に、又は完全に一致し得る。
【０１２４】
第１端部７５３及び第３端部７６３は双方とも、吸収性コア領域７２６の外側、第１側部の前側部分７３１、吸収性コア７２５の長手方向縁部７２４から横方向外側、シャーシ７２０の最も狭い部分７２２の横方向内側、及び第１サイドパネルの前側部分７３３の横方向内側縁部に近接する第１サイドパネルの前側部分７３３の内部に配置される。いくつかの実施形態では、第１端部７５３及び第３端部７６３の一方又は両方が、第１サイドパネルの前側部分７３３の外側、及び／又は第１側部の前側部分７３１の内部、及び／又はシャーシ７２０の最も狭い部分７２２から横方向外側、及び／又は吸収性コア７２５の長手方向縁部７２４の横方向内側、及び／又は吸収性コア領域７２６の内部の位置を含む、様々な位置に配置され得る。第３位置７６２は、第１位置７５２から長手方向内側にある。
【０１２５】
固定サブシステム７７０は、吸収性コア７２５に直接接続されず、吸収性コア領域７２６の外側にあり、そのため固定サブシステム７７０は吸収性コア７２５から分離している。第１ＳＡＭ  ７５０又は第２ＳＡＭ  ７６０のいずれも、着用者の下部胴体を実質的に又は完全に取り囲まないため、かつ固定サブシステム７７０は使い捨て着用可能吸収性物品７１０の特定の画定された部分の内部に収容されるため、固定サブシステム７７０はサブシステムとしてみなされる。図７Ａ〜７Ｃの実施形態では、固定サブシステム７７０は、使い捨て着用可能吸収性物品７７０の第１側部の内部に収容されるため、固定サブシステム７７０は、側部固定サブシステムとしてみなされる。使い捨て着用可能吸収性物品７１０はまた、外側カバーを含むことができ、これは、様々な実施形態において、固定サブシステム７７０から分離している場合がある。いくつかの実施形態では、このような外側カバーの一部又は全部が、伸張可能、弾性、又は延伸性であり得る。
【０１２６】
使い捨て着用可能吸収性物品７１０はまた、前部７２３に配置される第２側部の前側部分７４１、及び後部７２７に配置される第２側部の後側部分７４９を有する第２側部を含む。使い捨て着用可能吸収性物品７１０は、第２サイドパネルを有し、これは第２サイドパネルの前側部分７４３及び第２サイドパネルの後側部分７４７を含み、これらは第２側部境界部分７４５によって接続するように構成される。第２サイドパネルは、第１サイドパネルと同様に構成されるが、様々な実施形態において、第２サイドパネルは、別の方法として、異なる様式で構成され得る。
【０１２７】
図７Ｂは、着用のために形成される、図７Ａの実施形態の使い捨て着用可能吸収性物品７１０の外側の斜視図を例示する。図７Ｂの実施形態では、第１側部は、第１側部境界部分７３５を介して接続されている。
【０１２８】
図７Ｃは、図７Ｂの実施形態の使い捨て着用可能吸収性物品７１０の側部の一部の拡大図を例示する。第１側部境界部分７３５に近接する接続部７３６は、第１サイドパネルの前側部分７３３と、第１サイドパネルの後側部分７３７を接続し、第１側部を形成する。接続部７３６は、例えば、締結可能な接続部又は耐久性接続部など、様々な形態をとることができる。接続部７３６の位置は、様々な実施形態で変化し得る。いくつかの実施形態では、側部は別の方法として、側部内で、様々な位置における２つ以上の接続部で、又は別個の接続部を伴わずに、形成され得る。
【０１２９】
本開示の様々な実施形態において、固定サブシステム７７０の１つ以上の部分、又は少なくとも一部が、第１サイドパネルに構造的に付随することができる。いくつかの実施形態では、固定サブシステム７７０の少なくとも一部、又は固定サブシステム７７０の実質的に全部、又は更に固定サブシステム７７０の全部が、第１サイドパネルと別個であるか、あるいはこれに接合される、取り付けられる、若しくは埋め込まれるか、又はこれと一体であることができる。様々な実施形態において、第１ＳＡＭ  ７５０及び／又は第２ＳＡＭ  ７６０の少なくとも一部、又は第１ＳＡＭ  ７５０及び／又は第２ＳＡＭ  ７６０の実質的に全部、又は更に第１ＳＡＭ  ７５０及び／又は第２ＳＡＭ  ７６０の全部が、第１サイドパネルと別個であるか、あるいはこれに接合される、若しくは取り付けられる、若しくは埋め込まれる、又はこれと一体であることができる。
【０１３０】
固定サブシステム７７０の１つ以上の部分が第１サイドパネルと一体である実施形態では、第１サイドパネルは、固定サブシステム７７０の一体部分を含む第１部分、及び第１部分の外側にある第２部分を有するものとみなされ得る。例えば、第１ＳＡＭ  ７５０の全て及び第２ＳＡＭ  ７６０の全てが第１サイドパネルと一体であった場合、第１部分は、第１ＳＡＭ通路７５１及び第２ＳＡＭ通路７６１を含み、一方で、第２部分は、第１ＳＡＭ通路７５１及び第２ＳＡＭ通路７６１の外側にある、第１サイドパネルの３つの区分を含む。このような実施形態では、この第１部分及び第２部分は、図１Ｃの実施形態と関連して記載されるように、様々な方法で構成され得る。
【０１３１】
いくつかの実施形態において、物品内の１つ以上の負荷が、この負荷が固定サブシステム７７０の外側にある第１サイドパネルの一部に張力を生じ得る前に、固定サブシステム７７０内に張力を生じ得るように、使い捨て着用可能吸収性物品７１０は構成され得る。様々な実施形態において、物品内の１つ以上の負荷が、固定サブシステム７７０の外側にある第１サイドパネルの一部におけるよりも、固定サブシステム７７０内でより高い張力を生じ得るように、使い捨て着用可能吸収性物品７１０は構成され得る。
【０１３２】
先に記載された要素に加え、図７Ｃの実施形態は張力線７７５を含む。張力線７７５は、固定サブシステム７７０が使い捨て着用可能吸収性物品７１０を着用者の適所に保持することを少なくとも補助し得るように、第１ＳＡＭ  ７５０及び第２ＳＡＭ  ７６０が得られる保持力で収集された負荷を均衡し得る様子を例示している。例えば、第１ＳＡＭ７５０は第２端部７５９で及び／又は第１ＳＡＭ通路７５１に沿って負荷を収集することができる。また、例として、第２ＳＡＭ  ７６０は、第３端部７６３で及び／又は第２ＳＡＭ通路７６１に沿って負荷を収集することができる。更なる例では、第１ＳＡＭ  ７５０は、第１ＳＡＭ  ７５０が第１ＳＡＭ通路７５１の下部で、着用者の身体との直接、又は間接的な接触から固定を受けると、第１端部７５３で及び／又は第１ＳＡＭ通路７５１に沿って保持力を得ることができる。なお更なる例では、第２ＳＡＭ  ７５０が固定されると、第２ＳＡＭ  ７６０は、第４端部７６９で及び／又は第２ＳＡＭ通路７６１に沿って保持力を得ることができる。これらの負荷及び力は、シャーシ７２０及び／又は第１サイドパネルなど、使い捨て着用可能吸収性物品７１０の様々な部分介して受容され得る。
【０１３３】
固定サブシステム７７０は、吸収性コア７２５を着用者に間接的に固定するように構成され、そのため、第１ＳＡＭ  ７５０及び第２ＳＡＭ  ７６０が、吸収性コア７２５に直接接続されず、第１ＳＡＭ通路７５１及び第２ＳＡＭ通路７６１はそれぞれ吸収性コア領域７２６の外側に配置されるが、吸収性コア７２５からの負荷は使い捨て着用可能吸収性物品７１０の様々な部分を介して第１ＳＡＭ  ７５０及び／又は第２ＳＡＭ  ７６０に伝達され得、これは得られる保持力で収集される負荷を均衡することができ、その結果固定サブシステム７７０は、使い捨て着用可能吸収性物品７１０を着用者の適所に保持することを、少なくとも補助することができる。結果として、使い捨て着用可能吸収性物品７１０は、物品が着用者の適所に留まり、漏れを生じない傾向にあるために、快適に感じられ、魅力的に見え、良好に機能し得る。
【０１３４】
図８Ａは、本開示の実施形態による、部分的に同一の広がりを持ち、部分的に同一延長上の側部固定部材８５０、８６０、及びそれぞれ１つの締結具を有する側部耳部８８５、８９５を有する固定サブシステム８７０を含む、締結可能な使い捨て着用可能吸収性物品８１０の内側の平面図を例示する。使い捨て着用可能吸収性物品８１０は、横方向中心線８１７及び長手方向中心線８１３を含み、これは、使い捨て着用可能吸収性物品８１０の位置に対して、横方向内側８１２、横方向外側８１４、長手方向内側８１６、及び長手方向外側８１８を参照するための基準線を提供する。
【０１３５】
使い捨て着用可能吸収性物品８１０はまた、シャーシ８２０、シャーシ８２０の最も狭い部分８２２、前部８２３、長手方向縁部８２４を有する吸収性コア８２５、吸収性コア領域８２６、後部８２７、前側腰縁部８２８−Ｆ、及び後側腰縁部８２８−Ｂを含む。シャーシ８２０の一部が、吸収性コア８２５及び長手方向縁部８２４をより明瞭に示すために、一部を切り取ったものとして例示される。いくつかの実施形態では、前部８２３及び後部８２７は、使い捨て着用可能吸収性物品８１０の第１及び第２半体としてみなすことができるが、これらの半体は均等でないことがある。第１側部の前側部分８８１は、前部８２３内に配置される。第１側部の後側部分８８９は、後部８２７内に配置される。
【０１３６】
使い捨て着用可能吸収性物品８１０は、第１側部の後側部分８８９に接続される第１側部耳部８８５を有する。第１側部耳部８８５は、締結具８８３及び固定サブシステム８７０を含む。固定サブシステム８７０は、第１ＳＡＭ  ８５０及び第２ＳＡＭ  ８６０を含む。第１ＳＡＭ  ８５０は、第１ＳＡＭ通路８５１に沿って配置され、第１位置８５２に配置される第１端部８５３、第２位置８５８に配置される第２端部８５９、及び第１端部８５３と第２端部８５９の間の第１中央部８５５を含む。第２ＳＡＭ  ８６０は、第２ＳＡＭ通路８６１に沿って配置され、第３位置８６２に配置される第３端部８６３、第４位置８６８に配置される第４端部８６９、及び第３端部８６３と第４端部８６９の間の第２中央部８６５を含む。
【０１３７】
およそ第１中央部８５５から第２端部８５９までの第１ＳＡＭ通路８５１の一部は、およそ第２中央部８６５から第４端部８６９までの第２ＳＡＭ通路８６１の一部とは別個である。しかしながら、第１端部８５３からおよそ第１中央部８５５までの第１ＳＡＭ通路８５１の一部は、第３端部８６３からおよそ第２中央部８６５までの、第２ＳＡＭ通路８６１の一部と、通路の共通区分を共有する。結果として、第１ＳＡＭ通路８５１の一部は、第２ＳＡＭ通路８６１の一部と同一の広がりを持つ。様々な実施形態において、第１ＳＡＭ通路８５１及び／又は第２ＳＡＭ通路８６１の部分又は全てが、測地線として構成されることができ、それによって固定サブシステム８７０は測地線固定を提供することができる。
【０１３８】
第２端部８５９及び第４端部８６９は双方とも、吸収性コア領域８２６の外側、第１側部の後側部分８８９、吸収性コア８２５の長手方向縁部８２４から横方向外側、シャーシ８２０の最も狭い部分８２２の横方向外側、及び第１側部耳部８８５の横方向内側縁部に近接する第１側部耳部８８５の内部に配置される。いくつかの実施形態では、第２端部８５９及び第４端部８６９の一方又は両方が、第１側部耳部８８５の外側、及び／又は第１側部の後側部分８８９の内部、及び／又はシャーシ８２０の最も狭い部分８２２から横方向内側、及び／又は吸収性コア８２５の長手方向縁部８２４の横方向内側、及び／又は吸収性コア領域８２６の内部の位置を含む、様々な位置に配置され得る。第４位置８６８は、第２位置８５８から長手方向外側にある。第１端部８５３及び第３端部８６３は、双方とも第１側部耳部８８５の内部に配置される。第１端部８５３及び第３端部８６３の配置が、図８Ｃの実施形態と関連して更に記載される。
【０１３９】
固定サブシステム８７０は、吸収性コア８２５に直接接続されず、吸収性コア領域８２６の外側にあり、そのため固定サブシステム８７０は吸収性コア８２５から分離している。第１ＳＡＭ  ８５０又は第２ＳＡＭ  ８６０のいずれも、着用者の下部胴体を実質的に又は完全に取り囲まないため、かつ固定サブシステム８７０は使い捨て着用可能吸収性物品８１０の特定の画定された部分の内部に収容されるため、固定サブシステム８７０はサブシステムとしてみなされる。図８Ａ〜８Ｃの実施形態では、固定サブシステム８７０は、使い捨て着用可能吸収性物品８７０の第１側部の内部に収容されるため、固定サブシステム８７０は、側部固定サブシステムとしてみなされる。使い捨て着用可能吸収性物品８１０はまた、外側カバーを含むことができ、これは、様々な実施形態において、固定サブシステム８７０から分離している場合がある。いくつかの実施形態では、このような外側カバーの一部又は全部が、伸張可能、弾性、又は延伸性であり得る。
【０１４０】
使い捨て着用可能吸収性物品８１０はまた、第２側部の前側部分８９１及び第２側部の後側部分８９９に接続される第２側部耳部８９５を含む。第２側部耳部８９５は、第１側部耳部８８５と同様に構成されるが、様々な実施形態において、第２側部耳部８９５は、別の方法として、異なる様式で構成され得る。使い捨て着用可能吸収性物品８１０は、締結領域８９０を更に含む。
【０１４１】
図８Ｂは、着用のために形成される、図８Ａの実施形態の使い捨て着用可能吸収性物品８１０の外側の斜視図を例示する。図８Ｂの実施形態では、締結具８８３は、締結領域８９０に締結される。
【０１４２】
図８Ｃは、図８Ｂの実施形態の使い捨て着用可能吸収性物品８１０の側部の一部の拡大図を例示する。締結具８８３は締結領域８９０に締結され、それによって第１側部耳部８８５が前部８２３を後部８２７に締結する。結果として、第１側部耳部８８５の一部が前部８２３内に配置され、第１側部耳部８８５の一部が後部８２７内に配置される。この締結構成では、第１端部８５３及び第３端部８６３は双方とも、吸収性コア領域８２６の外側、第１側部の前側部分８８１、吸収性コア８２５の長手方向縁部８２４から横方向外側、シャーシ８２０の最も狭い部分８２２の横方向外側、及び第１側部耳部８８５内部に配置される。第１端部８５３及び第３端部８６３は、締結具８８３の縁部の近傍に配置され得る。いくつかの実施形態では、締結具８８３は、第１端部８５３及び第３端部８６３の一方又は両方が、シャーシ８２０の最も狭い部分８２２の横方向内側、及び／又は吸収性コア８２５の長手方向軸８２４の横方向内側、及び／又は第１側部の前側部分８８１の内部、及び／又は吸収性コア領域８２６の内部の位置を含む、様々な位置に配置され得るように締結されることができる。第３位置８６２が、第１位置８５２と少なくとも部分的に重複し、それによって第１ＳＡＭ通路８５１及び第２ＳＡＭ通路８６１が、これらの横方向外側端部において同一延長上にある。いくつかの実施形態では、第３位置８６２は、第１位置８５２と、実質的に、又は完全に一致し得る。
【０１４３】
本開示の様々な実施形態において、固定サブシステム８７０の１つ以上の部分、又は少なくとも一部が、第１側部耳部８８５に構造的に付随することができる。いくつかの実施形態では、固定サブシステム８７０の少なくとも一部、又は固定サブシステム８７０の実質的に全部、又は更に固定サブシステム８７０の全部が、第１側部耳部８８５と別個であるか、あるいはこれに接合される、取り付けられる、若しくは埋め込まれるか、又はこれと一体であることができる。様々な実施形態において、第１ＳＡＭ  ８５０及び／又は第２ＳＡＭ  ８６０の少なくとも一部、又は第１ＳＡＭ  ８５０及び／又は第２ＳＡＭ  ８６０の実質的に全部、又は更に第１ＳＡＭ  ８５０及び／又は第２ＳＡＭ  ８６０の全部が、第１サイドパネルと別個であるか、あるいはこれに接合される、若しくは取り付けられる、若しくは埋め込まれる、又はこれと一体であることができる。
【０１４４】
固定サブシステム８７０の１つ以上の部分が第１側部耳部８８５と一体である実施形態では、第１側部耳部８８５は、固定サブシステム８７０の一体部分を含む第１部分、及び第１部分の外側にある第２部分を有するものとみなされ得る。例えば、第１ＳＡＭ  ８５０の全て及び第２ＳＡＭ  ８６０の全てが第１側部耳部８８５と一体であった場合、第１部分は、第１ＳＡＭ通路８５１及び第２ＳＡＭ通路８６１を含み、一方で、第２部分は、第１ＳＡＭ通路８５１及び第２ＳＡＭ通路８６１の外側にある、第１側部耳部８８５の３つの区分を含む。このような実施形態では、この第１部分及び第２部分は、図１Ｃの実施形態と関連して記載されるように、様々な方法で構成され得る。
【０１４５】
いくつかの実施形態において、使い捨て着用可能吸収性物品８１０は、物品内の１つ以上の負荷が、この負荷が固定サブシステム８７０の外側にある第１側部耳部８８５の一部に張力を生じ得る前に、固定サブシステム８７０内に張力を生じ得るように、構成され得る。様々な実施形態において、使い捨て着用可能吸収性物品８１０は、物品内の１つ以上の負荷が、固定サブシステム８７０の外側にある第１側部耳部８８５の一部におけるよりも、固定サブシステム８７０内でより高い張力を生じ得るように、構成され得る。
【０１４６】
先に記載された要素に加え、図８Ｃの実施形態は張力線８７５を含む。張力線８７５は、固定サブシステム８７０が使い捨て着用可能吸収性物品８１０を着用者の適所に保持することを少なくとも補助し得るように、第１ＳＡＭ  ８５０及び第２ＳＡＭ  ８６０が得られる保持力で収集された負荷を均衡し得る様子を例示している。例えば、第１ＳＡＭ  ８５０は、第２端部８５９で及び／又は第１ＳＡＭ通路８５１に沿って負荷を収集することができ、負荷は、シャーシ８２０及び／又は第１側部耳部８８５など、使い捨て着用可能吸収性物品８１０の様々な部分を介して受容される。また例として、第２ＳＡＭ  ８６０は、第３端部８６３で及び／又は第２ＳＡＭ通路８６１に沿って負荷を収集することができ、負荷は、締結具８８３及び／又は第１側部耳部８８５など、使い捨て着用可能吸収性物品８１０の様々な部分を介して受容される。
【０１４７】
更なる例では、第１ＳＡＭ８５０は第１端部８５３で保持力を得ることができ、力は、締結具８８３及び／又は第１側部耳部８８５など、使い捨て着用可能吸収性物品８１０の様々な部分を介して受容される。更なる例では、第１ＳＡＭ  ８５０はまた、第１ＳＡＭ  ８５０が第１ＳＡＭ通路８５１の下部で、着用者の身体との直接、又は間接的な接触から固定されると、第１ＳＡＭ通路８５１に沿って保持力を得ることができる同様の例として、第２ＳＡＭ  ８６０は第４端部８６９で保持力を得ることができ、力は、シャーシ８２０及び／又は第１側部耳部８８５など、使い捨て着用可能吸収性物品８１０の様々な部分を通じて受容される。別の同様の例として、第２ＳＡＭ  ８５０が固定されると、第２ＳＡＭ  ８６０は、第２ＳＡＭ通路８６１に沿って保持力を得ることができる。
【０１４８】
固定サブシステム８７０は、吸収性コア８２５を着用者に間接的に固定するように構成され、そのため、第１ＳＡＭ  ８５０及び第２ＳＡＭ  ８６０が、吸収性コア８２５に直接接続されず、第１ＳＡＭ通路８５１及び第２ＳＡＭ通路８６１はそれぞれ吸収性コア領域８２６の外側に配置されるが、吸収性コア８２５からの負荷は使い捨て着用可能吸収性物品８１０の様々な部分を介して第１ＳＡＭ  ８５０及び／又は第２ＳＡＭ  ８６０に伝達され得、これは得られる保持力で収集される負荷を均衡することができ、その結果固定サブシステム８７０は、使い捨て着用可能吸収性物品８１０を着用者の適所に保持することを、少なくとも補助することができる。結果として、使い捨て着用可能吸収性物品８１０は、物品が着用者の適所に留まり、漏れを生じない傾向にあるために、快適に感じられ、魅力的に見え、良好に機能し得る。
【０１４９】
図９Ａは、本開示の実施形態による、部分的に同一の広がりを持ち、部分的に同一延長上の側部固定部材９５０、９６０、及びそれぞれ２つの締結具を有する側部耳部９８５、９９５を有する固定サブシステム９７０を含む、締結可能な使い捨て着用可能吸収性物品９１０の内側の平面図を例示する。使い捨て着用可能吸収性物品９１０は、横方向中心線９１７及び長手方向中心線９１３を含み、これは、使い捨て着用可能吸収性物品９１０の位置に対する、横方向内側９１２、横方向外側９１４、長手方向内側９１６、及び長手方向外側９１８を参照するための基準線を提供する。
【０１５０】
使い捨て着用可能吸収性物品９１０はまた、シャーシ９２０、シャーシ９２０の最も狭い部分９２２、前部９２３、長手方向縁部９２４を有する吸収性コア９２５、吸収性コア領域９２６、後部９２７、前側腰縁部９２８−Ｆ、及び後側腰縁部９２８−Ｂを含む。シャーシ９２０の一部が、吸収性コア９２５及び長手方向縁部９２４をより明瞭に示すために、一部を切り取ったものとして例示される。いくつかの実施形態では、前部９２３及び後部９２７は、使い捨て着用可能吸収性物品９１０の第１及び第２半体としてみなすことができるが、これらの半体は均等でないことがある。第１側部の前側部分９８１は、前部９２３内に配置される。第１側部の後側部分９８９は、後部９２７内に配置される。
【０１５１】
使い捨て着用可能吸収性物品９１０は、第１側部の後側部分９８９に接続される第１側部耳部９８５を有する。第１側部耳部９８５は、第１締結具９８２、第２締結具９８４、及び固定サブシステム９７０を含む。しかしながら、様々な実施形態において、第１側部耳部９８５は、あるいは、単一の締結具を有するように構成され得る。固定サブシステム９７０は、第１ＳＡＭ  ９５０及び第２ＳＡＭ  ９６０を含む。第１ＳＡＭ  ９５０は、第１ＳＡＭ通路９５１に沿って配置され、第１位置９５２に配置される第１端部９５３、第２位置９５８に配置される第２端部９５９、及び第１端部９５３と第２端部９５９の間の第１中央部９５５を含む。第２ＳＡＭ  ９６０は、第２ＳＡＭ通路９６１に沿って配置され、第３位置９６２に配置される第３端部９６３、第４位置９６８に配置される第４端部９６９、及び第３端部９６３と第４端部９６９の間の第２中央部９６５を含む。
【０１５２】
第１端部９５３から第１中央部９５５までの第１ＳＡＭ通路９５１の一部は、およそ第３端部９６３からおよそ第２中央部９６５までの第２ＳＡＭ通路９６１の一部とは別個である。しかしながら、およそ第１中央部９５５から第２端部９５９までの第１ＳＡＭ通路９５１の一部は、およそ第２中央部９６５から第４端部９６９までの、第２ＳＡＭ通路９６１の一部と、通路の共通区分を共有する。結果として、第１ＳＡＭ通路９５１の一部は、第２ＳＡＭ通路９６１の一部と同一の広がりを持つ。様々な実施形態において、第１ＳＡＭ通路９５１及び／又は第２ＳＡＭ通路９６１の部分又は全てが、測地線として構成されることができ、それによって固定サブシステム９７０は測地線固定を提供することができる。
【０１５３】
第２端部９５９及び第４端部９６９は双方とも、吸収性コア領域９２６の外側、第１側部の後側部分９８９、吸収性コア９２５の長手方向縁部９２４から横方向外側、シャーシ９２０の最も狭い部分９２２の横方向外側、及び第１側部耳部９８５の横方向内側縁部に近接する第１側部耳部９８５の内部に配置される。いくつかの実施形態では、第２端部９５９及び第４端部９６９の一方又は両方が、第１側部耳部９８５の外側、及び／又は第１側部の後側部分９８９の内部、及び／又はシャーシ９２０の最も狭い部分９２２から横方向内側、及び／又は吸収性コア９２５の長手方向縁部９２４の横方向内側、及び／又は吸収性コア領域９２６の内部の位置を含む、様々な位置に配置され得る。第４位置９６８が、第２位置９５８と少なくとも部分的に重複し、それによって第１ＳＡＭ通路９５１及び第２ＳＡＭ通路９６１が、これらの横方向内側端部において同一延長上にある。いくつかの実施形態では、第４位置９６８は、第２位置９５８と、実質的に、又は完全に一致し得る。第１端部９５３及び第３端部９６３は、双方とも第１側部耳部９８５の内部に配置される。第１端部９５３及び第３端部９６３の配置が、図９Ｃの実施形態と関連して更に記載される。
【０１５４】
固定サブシステム９７０は、吸収性コア９２５に直接接続されず、吸収性コア領域９２６の外側にあり、そのため固定サブシステム９７０は吸収性コア９２５から分離している。第１ＳＡＭ  ９５０又は第２ＳＡＭ  ９６０のいずれも、着用者の下部胴体を実質的に又は完全に取り囲まないため、かつ固定サブシステム９７０は使い捨て着用可能吸収性物品９１０の特定の画定された部分の内部に収容されるため、固定サブシステム９７０はサブシステムとしてみなされる。図９Ａ〜９Ｃの実施形態では、固定サブシステム９７０は、使い捨て着用可能吸収性物品９７０の第１側部の内部に収容されるため、固定サブシステム９７０は、側部固定サブシステムとしてみなされる。使い捨て着用可能吸収性物品９１０はまた、外側カバーを含むことができ、これは、様々な実施形態において、固定サブシステム９７０から分離している場合がある。いくつかの実施形態では、このような外側カバーの部分又は全部が、伸張可能、弾性、又は延伸性であり得る。
【０１５５】
使い捨て着用可能吸収性物品９１０はまた、第２側部の前側部分９９１及び第２側部の後側部分９９９に接続される第２側部耳部９９５を含む。第２側部耳部９９５は、第１側部耳部９８５と同様に構成されるが、様々な実施形態において、第２側部耳部９９５は、別の方法として、異なる様式で構成され得る。使い捨て着用可能吸収性物品９１０は更に、第１締結領域９９０−１及び第２締結領域９９０−２を含む。
【０１５６】
図９Ｂは、着用のために形成される、図９Ａの実施形態の使い捨て着用可能吸収性物品９１０の外側の斜視図を例示する。図９Ｂの実施形態では、第１締結具９８２は第１締結領域９９０−１に締結され、第２締結具９８４は第２締結領域９９０−２に締結される。
【０１５７】
図９Ｃは、図９Ｂの実施形態の使い捨て着用可能吸収性物品９１０の側部の一部の拡大図を例示する。第１締結具９８２は、第１締結領域９９０−１に締結され、第２締結具９８４は第２締結領域９９０−２に締結され、その結果第１側部耳部９８５は前部９２３を後部９２７に締結する。結果として、第１側部耳部９８５の一部が前部９２３に配置され、第１側部耳部９８５の一部が後部９２７に配置される。この締結構成では、第１端部９５３及び第３端部９６３は双方とも、吸収性コア領域９２６の外側、第１側部の前側部分９８１、吸収性コア９２５の長手方向縁部９２４から横方向外側、シャーシ９２０の最も狭い部分９２２の横方向外側、及び第１側部耳部９８５内部に配置される。いくつかの実施形態では、締結具９８３は、第１端部９５３及び第３端部９６３の一方又は両方が、シャーシ９２０の最も狭い部分９２２の横方向内側、及び／又は吸収性コア９２５の長手方向軸９２４の横方向内側、及び／又は第１側部の前側部分９８１の内部、及び／又は吸収性コア領域９２６の内部の位置を含む、様々な位置に配置され得るように締結されることができる。第３位置９６２は、第１位置９５２から長手方向内側にある。
【０１５８】
本開示の様々な実施形態において、固定サブシステム９７０の１つ以上の部分、又は少なくとも一部が、第１側部耳部９８５に構造的に付随することができる。いくつかの実施形態では、固定サブシステム９７０の少なくとも一部、又は固定サブシステム９７０の実質的に全部、又は更に固定サブシステム９７０の全部が、第１側部耳部９８５と別個であるか、あるいはこれに接合される、取り付けられる、若しくは埋め込まれるか、又はこれと一体であることができる。第１端部９５３は、第１締結具９８２の縁部の近傍に配置され、第３端部９６３は、第２締結具９８４の縁部の近傍に配置される。様々な実施形態において、第１ＳＡＭ  ９５０及び／又は第２ＳＡＭ  ９６０の少なくとも一部、又は第１ＳＡＭ  ９５０及び／又は第２ＳＡＭ  ９６０の実質的に全部、又は更に第１ＳＡＭ  ９５０及び／又は第２ＳＡＭ  ９６０の全部が、第１側部耳部９８５と別個であるか、あるいはこれに接合される、若しくは取り付けられる、若しくは埋め込まれる、又はこれと一体であることができる。
【０１５９】
固定サブシステム９７０の１つ以上の部分が第１側部耳部９８５と一体である実施形態では、第１側部耳部９８５は、固定サブシステム９７０の一体部分を含む第１部分、及び第１部分の外側にある第２部分を有するものとみなされ得る。例えば、第１ＳＡＭ  ９５０の全て及び第２ＳＡＭ  ９６０の全てが第１側部耳部９８５と一体であった場合、第１部分は、第１ＳＡＭ通路９５１及び第２ＳＡＭ通路９６１を含み、一方で、第２部分は、第１ＳＡＭ通路９５１及び第２ＳＡＭ通路９６１の外側にある、第１側部耳部９８５の３つの区分を含む。このような実施形態では、この第１部分及び第２部分は、図１Ｃの実施形態と関連して記載されるように、様々な方法で構成され得る。
【０１６０】
いくつかの実施形態において、物品内の１つ以上の負荷が、この負荷が固定サブシステム９７０の外側にある第１側部耳部９８５の一部に張力を生じ得る前に、固定サブシステム９７０内に張力を生じ得るように、使い捨て着用可能吸収性物品９１０は構成され得る。様々な実施形態において、物品内の１つ以上の負荷が、固定サブシステム９７０の外側にある第１側部耳部９８５の一部におけるよりも、固定サブシステム９７０内でより高い張力を生じ得るように、使い捨て着用可能吸収性物品９１０は構成され得る。
【０１６１】
先に記載された要素に加え、図９Ｃの実施形態は張力線９７５を含む。張力線９７５は、固定サブシステム９７０が使い捨て着用可能吸収性物品９１０を着用者の適所に保持することを少なくとも補助し得るように、第１ＳＡＭ  ９５０及び第２ＳＡＭ  ９６０が得られる保持力で収集された負荷を均衡し得る様子を例示している。例えば、第１ＳＡＭ  ９５０は、第２端部９５９で及び／又は第１ＳＡＭ通路９５１に沿って負荷を収集することができ、負荷は、シャーシ９２０及び／又は第１側部耳部９８５など、使い捨て着用可能吸収性物品９１０の様々な部分を介して受容される。また例として、第２ＳＡＭ  ９６０は、第３端部９６３で及び／又は第２ＳＡＭ通路９６１に沿って負荷を収集することができ、負荷は、第２締結具９８４及び／又は第１側部耳部９８５など、使い捨て着用可能吸収性物品９１０の様々な部分を介して受容される。
【０１６２】
更なる例では、第１ＳＡＭ  ９５０は第１端部９５３で保持力を得ることができ、力は、第１締結具９８２及び／又は第１側部耳部９８５など、使い捨て着用可能吸収性物品９１０の様々な部分を介して受容される。更なる例では、第１ＳＡＭ  ９５０はまた、第１ＳＡＭ  ９５０が第１ＳＡＭ通路９５１の下部で、着用者の身体との直接、又は間接的な接触から固定されると、第１ＳＡＭ通路９５１に沿って保持力を得ることができる。同様の例として、第２ＳＡＭ  ９６０は第４端部９６９で保持力を得ることができ、力は、シャーシ９２０及び／又は第１側部耳部９８５など、使い捨て着用可能吸収性物品９１０の様々な部分を介して受容される。別の同様の例として、第２ＳＡＭ  ９５０が固定を受けると、第２ＳＡＭ  ９６０は、第２ＳＡＭ通路９６１に沿って保持力を得ることができる。
【０１６３】
固定サブシステム９７０は、吸収性コア９２５を着用者に間接的に固定するように構成され、そのため、第１ＳＡＭ  ９５０及び第２ＳＡＭ  ９６０が、吸収性コア９２５に直接接続されず、第１ＳＡＭ通路９５１及び第２ＳＡＭ通路９６１はそれぞれ吸収性コア領域９２６の外側に配置されるが、吸収性コア９２５からの負荷は使い捨て着用可能吸収性物品９１０の様々な部分を介して第１ＳＡＭ  ９５０及び／又は第２ＳＡＭ  ９６０に伝達され得、これは得られる保持力で収集される負荷を均衡することができ、その結果固定サブシステム９７０は、使い捨て着用可能吸収性物品９１０を着用者の適所に保持することを、少なくとも補助することができる。結果として、使い捨て着用可能吸収性物品９１０は、物品が着用者の適所に留まり、漏れを生じない傾向にあるために、快適に感じられ、魅力的に見え、良好に機能し得る。
【０１６４】
図１０Ａは、本開示の実施形態による、使い捨て着用可能吸収性物品の側部の固定サブシステムでの使用のための、漸増的な伸張の第１実施形態を例示する。図１０Ａの漸増的な伸張は、機械的な歯によって側部の材料中に形成される線１０９６（明確にするために、全ての線が付番されてはいない）を含む。第１部分１０９１では、側部は、第１の単位距離当たりの特定の歯の数で漸増的に伸張される。第２部分１０９２では、側部は、第２の単位距離当たりの特定の歯の数で漸増的に伸張される。図１０Ａの実施形態では、第１の特定の歯の数は、第２の特定の歯の数の５／９である。結果として、図１Ｃの実施形態に関連して記載されるように、第１部分１０９１は、より低い度合いで漸増的に伸張され、第２部分１０９２の実質的に全部がより高い度合いで漸増的に伸張される。
【０１６５】
図１０Ｂは、本開示の実施形態による、使い捨て着用可能吸収性物品の側部の固定サブシステムでの使用のための、漸増的な伸張の第２実施形態を例示する。図１０Ｂの漸増的な伸張は、機械的な歯によって側部の材料中に形成される線１０９６（明確にするために、全ての線が付番されてはいない）を含む。第１部分１０９３では、側部は、第１の単位距離当たりの特定の歯の数で漸増的に伸張される。第２部分１０９４では、側部は、第２の単位距離当たりの特定の歯の数で漸増的に伸張される。図１０Ｂの実施形態では、第１の特定の歯の数は、第２の特定の歯の数の２／３である。結果として、図１Ｃの実施形態に関連して記載されるように、第１部分１０９３は、より低い度合いで漸増的に伸張され、第２部分１０９４の実質的に全部がより高い度合いで漸増的に伸張される。
【０１６６】
図１０Ｃは、本開示の実施形態による、使い捨て着用可能吸収性物品の側部の固定サブシステムでの使用のための、漸増的な伸張の第３実施形態を例示する。図１０Ｃの漸増的な伸張は、機械的な歯によって側部の材料中に形成される線１０９６（明確にするために、全ての線が付番されてはいない）を含む。第１部分１０９７では、側部は、第１の単位距離当たりの特定の歯の数で漸増的に伸張される。第２部分１０９８では、側部は、第２の単位距離当たりの特定の歯の数で漸増的に伸張される。図１０Ｃの実施形態では、第１の特定の歯の数は、第２の特定の歯の数の２／３である。結果として、図１Ｃの実施形態に関連して記載されるように、第１部分１０９７は、より低い度合いで漸増的に伸張され、第２部分１０９８の実質的に全部がより高い度合いで漸増的に伸張される。
【０１６７】
図１１Ａは、着用のために形成される、パンツ型使い捨て着用可能吸収性物品１１１０の外側の斜視図を例示する。使い捨て着用可能吸収性物品１１１０は、シャーシ１１２０、前部１１２３、後部１１２７、前側腰縁部１１２８−Ｆ、及び後側腰縁部１１２８−Ｂを含む。使い捨て着用可能吸収性物品１１１０はまた、第１側部及び第２側部を含む。第１側部の前側部分１１３１は、前部１１２３内に配置される。第１側部の後側部分１１３９は、後部１１２７内に配置される。使い捨て着用可能吸収性物品１１１０は、第１サイドパネル１１３０を有し、これは第１サイドパネルの前側部分１１３３及び第１サイドパネルの後側部分１１３７を含む。接続部１１３６は、第１サイドパネルの前側部分１１３３と、第１サイドパネルの後側部分１１３７を接続し、第１側部を形成する。図１１Ａの実施形態では、接続部１１３６は耐久性接続部である。第２側部は、第１サイドパネルと同様に構成される、第２サイドパネルを含み得る。しかしながら、様々な実施形態において、第２サイドパネルは、あるいは、別の方法で構成され得る。
【０１６８】
第１サイドパネル１１３０はまた、２つのＳＡＭを有する固定サブシステムも含む。図１１Ａの実施形態では、ＳＡＭは容易にはっきりと見えず、したがって図１１Ａに図示される。しかしながら、ＳＡＭなどの、１つ以上の固定サブシステム要素の存在は、弾性率マッピング方法の使用によって検出することができる。この方法はまた、ＳＡＭなどの、１つ以上の固定サブシステム要素の、特定の弾性率値を測定するために使用することができる。弾性率マッピング方法は以下で、図１１Ｂ〜１１Ｆの実施形態に関連して記載される。
【０１６９】
弾性率マッピング方法の第１工程は、使い捨て着用可能吸収性物品内の対象の領域を決定することである。対象領域は、試験される１つ以上の固定サブシステム要素を完全に含む、物品の連続的な部分である。対象領域はまた、固定サブシステム要素（１つ又は複数）を囲む、物品の１つ以上の部分を含む。換言すれば、対象領域は固定サブシステム要素に限定されず、各要素（１つ又は複数）の全ての側部に物理的コンテキストを形成する物品の１つ以上の部分を含む。対象領域は、各固定サブシステム要素（１つ又は複数）の全ての側部において、弾性率マッピング方法で試験されるためにこの物理的コンテキストを十分に含むべきである。このように、各固定サブシステム要素（１つ又は複数）の存在は、対象の領域における、これらの物理的コンテキストの内部で検出することができる。
【０１７０】
固定サブシステム要素の存在は、物品の情報から知ることができる。図１１Ａの実施形態では、第１サイドパネル１１３０は、２つのＳＡＭを有する固定サブシステムを含むものとして既知であるため、第１サイドパネル１１３０は、対象領域である。あるいは、固定サブシステム要素の存在は、物品の目視検査の際に明らかになり得るか、又は他の要因に基づいて推測され得る。当業者に理解されるように、固定サブシステム要素の存在が不明確である場合、対象の領域は、弾性率マッピング方法の工程で、使い捨て着用可能吸収性物品の１つ以上のサンプルの様々な部分を試験することによって決定され得る。
【０１７１】
弾性率マッピング方法の第２工程では、対象の領域を使い捨て着用可能吸収性物品から切断する。対象の領域が使い捨て着用可能吸収性物品のサイドパネルである場合、サイドパネル及び物品の残部との間の１つ以上の経路に沿い、物品にわたって連続的な切れ目を入れる。サイドパネルの任意の接続部が締結されたまま及び／又は完全なままであり、対象の領域は、物品の連続的な部分であり得る。図１１Ｂは、弾性率マッピング方法で試験するために物品１１１０から切断された、図１１Ａの実施形態の使い捨て着用可能吸収性物品１１１０の第１サイドパネル１１３０の一部の拡大図を例示する。
【０１７２】
対象の領域が、締結可能な使い捨て着用可能吸収性物品の側部耳部である場合、側部耳部と物品の残部との間の１つ以上の経路に沿い、物品にわたって連続的な切れ目を入れる。側部耳部が締結されている場合、それは物品から完全に取り除くために外される。
【０１７３】
サイドパネル又は側部耳部よりも大きい又は小さい面積を含む、他の対象の領域に関し、領域の両側部で物品の腰縁部上の点から腰縁部と垂直な通路を切断して、連続的な切れ目を入れる。これらの切れ目は物品の脚部開口部に達するまで連続するか、又は腰部縁部と平行な最短切断通路上の脚部開口部に達するために曲がるかのいずれかである。対象の領域の任意の接続部は、締結されたままであるか及び／又は完全なままであり、したがって対象の領域は、物品の連続的な部分であり得る。
【０１７４】
弾性率マッピング方法の第３工程では、正方形のグリッドであるマークをマップで対象の領域につける。対象の領域にマークをつけるとき、対象の領域の表面が阻害を受けない又は歪まないように、この領域は平坦に置かれた。一般的に、マップのグリッド線は、使い捨て着用可能吸収性物品の横方向に対して平行及び垂直に走るべきである。しかしながら、対象の領域の材料が、弾性、延伸性、又は伸張性に関する主要方向を有する場合、マップのグリッド線は、延伸のこの主要方向に対して平行及び垂直に走るべきである。グリッド内の各正方形は、５．０ミリメートル×５．０ミリメートルである。グリッド線は、目盛り付き定規の使用など、様々な方法で測定することができる。グリッド線はまた、先の細いマーカーを使用するなど、様々な方法でマークをつけることができる。マークをつけたマップは、列Ｒ１〜Ｒｎ及び行Ｃ１〜Ｃｎを備える、正方形のグリッドである。したがって、マップ上の各正方形は、列及び行番号により、独自に参照することができる（例えば、行１、列１の正方形は、Ｃ１：Ｒ１）。
【０１７５】
図１１Ｂは、弾性率マッピング方法による試験のために、物品１１１０から切り取られ、マップ１１７２でマークをつけられた、図１１Ａの実施形態の使い捨て着用可能吸収性物品１１１０の第１サイドパネル１１３０の一部の拡大図を例示する。図１１Ｂは、横方向内側１１１２及び横方向外側１１１４の方向（参照を容易にするために、後部１１２７の横方向を使用する）、加えて長手方向内側１１１６及び長手方向外側１１８の方向を例示している。第１サイドパネル１１３０の部分はまた、前側腰縁部１１２８−Ｆ、後側腰縁部１１２８−Ｂ、第１サイドパネルの前側部分１１３３、接続部１１３６、及び第１サイドパネルの後側部分１１３７を含む。図１１Ｂの実施形態では、対象の領域の材料は、横方向に伸張性の主要方向を有する。したがって、マップ１１７２は、マップ１１７２のグリッド線が横方向であるこの延伸の主要方向に対して平行及び垂直に走るように、上記の通りサイドパネル１１３０上にマークをつけられる。
【０１７６】
弾性率マッピング方法の第４工程では、対象の領域が試験される。対象の領域の寸法が、弾性率の計算で使用するために測定及び記録される。材料の厚さを決定するために、０．５ｋＰａの圧力及び１０秒の滞留時間を有する３．１４ｃｍ２円形フットキャリパー（roundfootcaliper）を使用する。
【０１７７】
試験は、５Ｎのロードセルを装着された、定速伸張の引張試験機を使用する。引張試験機は、テストワークス（Test Works）４ソフトウェアを有するＭＴＳアライアンス（MTS Alliance）（ミネソタ州エデンプレイリー（Eden Prairie）のＭＴＳシステムズ社（MTS Systems Corp.）から入手可能）などのコンピュータインターフェースを含む。以下に記載される試験装置に関し、寸法が正確な値で示される。引張試験機は、１０Ｎアドバンテージ（Advantage）（商標）空気式グリップ（部品１００−０３２−０１７としてＭＴＳから入手可能）、及び平滑な鋼表面（部品５６−１６３−７０２としてＭＴＳから入手可能）を備える１５ミリメートル幅×８ミリメートル高さの１０Ｎアドバンテージ（Advantage）（商標）グリップ面のセットを装着される。各グリップ面は、硬質ゴム面材（rubberfacing）をグリップ面に実装することによって改善される。ゴム面材は、７０Ａのデュロメータ定格を有する硬質ネオプレンゴムである。ゴム面材は、５．００ミリメートル幅×８．０ミリメートル高さ×２．０ミリメートル深さである。ゴム面材は、グリップ面の基部幅の真ん中に合わせられる。空気式グリップが閉じられるとき、ゴム面材は、垂直及び水平に位置合わせされるべきである。
【０１７８】
図１１Ｃは、弾性率マッピング方法での使用のための、上記の改善された空気式グリップ１１０１を例示している。改善された空気式グリップ１１０１は、基部グリップ幅１１０２（１５ミリメートル）及び基部グリップ高さ１１０３（８ミリメートル）を含む。改善された空気式グリップ１１０１はまた、面材幅１１０６（５．００ミリメートル）、面材高さ１１０７（８．０ミリメートル）、及び面材深さ１１０８（２．０ミリメートル）を有する硬質ゴム面材１１０５も含む。
【０１７９】
この試験装置を使用し、対象の領域が、以下の弾性率マッピング方法で試験される。明確にするため、この試験の説明では、対象領域への言及は、図１１Ｂの実施形態のサイドパネル１１３０を指す。引張試験機のデータ獲得率は、１００Ｈｚに設定され、標点距離は、５．０ｍｍに設定される。クロスヘッド及びロードセルはゼロに合わせる。
【０１８０】
対象の領域の弾性、延伸性、又は伸張性に主要方向がない場合、対象の領域は、以下のように挿入及び位置合わせされる。対象の領域が、正方形Ｃ１：Ｒ１において上方空気式グリップに挿入され、サイドパネル１１３０を使い捨て着用可能吸収性物品の横方向に引っ張るために配置される。上部グリップが、正方形Ｃ１：Ｒ１の外側で、正方形Ｃ１：Ｒ１の横方向外側グリッド線に沿って位置合わせされ、閉じられる。対象の領域はまた下部空気式グリップにも挿入され、正方形Ｃ１：Ｒ１の外側で、正方形の横方向内側グリッド線に沿って位置合わせされ、閉じられる。
【０１８１】
対象の領域の弾性、伸張性、又は延伸性に主要方向がある場合、対象の領域は、以下のように挿入され、位置合わせされる。対象の領域が、正方形Ｃ１：Ｒ１において上方空気式グリップに挿入され、サイドパネル１１３０を伸張の主要方向に引っ張るために配置される。上部グリップは、正方形Ｃ１：Ｒ１の外側で、延伸の主要方向と垂直な正方形の第１グリッド線に沿って位置合わせされ、閉じられる。対象の領域はまた、下部空気式グリップに挿入され、正方形Ｃ１：Ｒ１の外側で、第１グリッド線と並列であり、また延伸の主要方向と垂直である第２グリッド線に沿って位置合わせされ、閉じられる。
【０１８２】
対象の領域は、あらゆるたるみを排除するのに十分な張力下にあるが、ロードセルにおいて、０．０２Ｎ未満の力であるべきである。張力試験が開始され、データが収集される。グリップは、毎分２５ミリメートルの一定速度で、１０％ひずみまで離れていく。対象の領域は、例えば、横方向又は延伸の主要方向などの特定の方向に引っ張られるため、正方形の弾性率は方向性の弾性率として計算される。正方形の方向性の弾性率は、弾性率直線（modulus line）を決定するための５０％の傾斜区分長さを使用し、得られる応力対歪み曲線の線状区域の傾斜として算出される。例として、図１１Ｄは、メガパスカルでの応力１１７２対百分率での歪み１１７３、及び５０％の傾斜区分長さ点１１７８から点１１７９までを使用する弾性率直線１１７７を有する、マップ１１７２の正方形の弾性率の代表的なグラフを例示する。方向性の弾性率は、±０．０１メガパスカルまで決定され、記録される。この試験手順は、第１行（Ｃ１：Ｒ１〜Ｃ１：Ｒｎ）を試験し、続いて、連続する行（Ｃ２〜Ｃｎ）を順次試験することによって、マップの各正方形に対して繰り返される。図１１Ｅは、弾性率マッピング方法試験から得られ、使い捨て着用可能吸収性物品１１１０の対象領域１１３０のマップ１１７２の各正方形に関して記録される、メガパスカルでの方向性の弾性率値を有する代表的な表を例示する。
【０１８３】
弾性率マッピング方法の第５工程では、弾性率マッピング方法試験から得られる方向性の弾性率値をプロットし、評価する。方向性の弾性値の値が、マイクロソフトエクセル（Microsoft Excel）（商標）などの表計算ソフトに転送され、表面輪郭プロットとしてプロットされる。プロットに関し、最大のＺ軸の値を設定し、固定サブシステム要素（１つ又は複数）と無関係な、シーム、シャーシ結合部、及び／又は対象の領域における他のこのような構造的な断絶から得られる高い弾性率値を切り捨てる。例として、最低の弾性値区域における方向性の弾性値の上限値のおよそ６倍の最大値が、図１１Ｅの実施形態における方向性の弾性率値として有用である。大きな値間隔を選び、対象の領域の高方向性弾性率及び低方向性弾性率の既存パターンのプロットを視覚的に評価する。５つの間隔のうち最小のものがこの評価に使用されるべきである。例えば、およそ０．２５メガパスカルの区間値は、図１１Ｅの実施形態の方向性の弾性率値に有益である。視覚的パターン認識における当業者は、これらの値が代表であり、所与の一連の方向性の弾性率値に関して経験的に決定されることができることを理解するだろう。
【０１８４】
図１１Ｆは、弾性率マッピング方法で使用するための、上記の図１１Ｅの実施形態の表の方向性の弾性率値の代表的な表面輪郭プロットを例示する。図１１Ｆでは、最大のＺ軸の値は１．５０メガパスカルで切り捨てられ、これは最低の弾性率区域での方向性の弾性率（例えば、０．２５メガパスカル）の上限値の約６倍である。０．２５メガパスカルの大きな値間隔が選択される。視覚的パターン認識における当業者は、図１１Ｆのプロットが、図１Ａ〜１Ｃの実施形態と同様の、第１ＳＡＭ  １１５０及び第２ＳＡＭ  １１６０を有する固定サブシステムの存在を例示することを理解するであろう。更に、図１１Ｆのプロットは、各ＳＡＭが０．５０〜０．７５メガパスカルの方向性の弾性率を有することを示す。したがって、弾性率マッピング方法は、１つ以上の固定サブシステム要素の存在を検出し、このような要素の特定の方向性の弾性率値を測定するために使用することができる。
【０１８５】
本開示の実施形態は、着用者に適切にフィットする固定サブシステムを有する使い捨て着用可能吸収性物品を含む。これらの物品の設計は、着用者が着用したとき物品がたるみ又は滑り落ちることを防止することを助ける。その結果、本開示の使い捨て着用可能吸収性物品は、着用者の適所に留まり、漏れない傾向にあるため、快適な感じがし、魅力的に見え、かつ良好に機能することができる。
【０１８６】
本明細書に開示される寸法及び値は、記載された数値そのものに厳密に限定されるものとして理解されてはならない。むしろ特に断らない限り、こうした各寸法は、記載された値とその値の周辺の機能的に同等の範囲のいずれをも意味するものである。例えば「４０ｍｍ」として開示した寸法は「約４０ｍｍ」を意味するものである。
【０１８７】
「発明を実施するための形態」で引用した全ての文献は、その関連部分において本明細書に参照により組み込まれ、いかなる文献の引用も、それが本発明に対する先行技術であることを認めるものと解釈すべきではない。本明細書中の用語の任意の意味又は定義が、参照により組み込まれた文献中の同一の用語の任意の意味又は定義と相反する限りにおいては、本明細書においてその用語に与えられた意味又は定義が適用されるものとする。
【０１８８】
以上、本発明の特定の実施形態を図示、説明したが、本発明の趣旨及び範囲から逸脱することなく他の様々な変更及び改変を行うことが可能である点は当業者には自明であろう。したがって本発明の範囲に含まれる全てのこうした変更及び改変を付属の特許請求の範囲において網羅するものである。
【図１Ａ】
2010537765.tif 000003
【図１Ｂ】
2010537765.tif 000004
【図１Ｃ】
2010537765.tif 000005
【図２Ａ】
2010537765.tif 000006
【図２Ｂ】
2010537765.tif 000007
【図２Ｃ】
2010537765.tif 000008
【図２Ｄ】
2010537765.tif 000009
【図３Ａ】
2010537765.tif 000010
【図３Ｂ】
2010537765.tif 000011
【図３Ｃ】
2010537765.tif 000012
【図４Ａ】
2010537765.tif 000013
【図４Ｂ】
2010537765.tif 000014
【図４Ｃ】
2010537765.tif 000015
【図５Ａ】
2010537765.tif 000016
【図５Ｂ】
2010537765.tif 000017
【図５Ｃ】
2010537765.tif 000018
【図６Ａ】
2010537765.tif 000019
【図６Ｂ】
2010537765.tif 000020
【図６Ｃ】
2010537765.tif 000021
【図７Ａ】
2010537765.tif 000022
【図７Ｂ】
2010537765.tif 000023
【図７Ｃ】
2010537765.tif 000024
【図８Ａ】
2010537765.tif 000025
【図８Ｂ】
2010537765.tif 000026
【図８Ｃ】
2010537765.tif 000027
【図９Ａ】
2010537765.tif 000028
【図９Ｂ】
2010537765.tif 000029
【図９Ｃ】
2010537765.tif 000030
【図１０Ａ】
2010537765.tif 000031
【図１０Ｂ】
2010537765.tif 000032
【図１０Ｃ】
2010537765.tif 000033
【図１１Ａ】
2010537765.tif 000034
【図１１Ｂ】
2010537765.tif 000035
【図１１Ｃ】
2010537765.tif 000036
【図１１Ｄ】
2010537765.tif 000037
【図１１Ｅ】
2010537765.tif 000038
【図１１Ｅ−Ａ】
2010537765.tif 000039
【図１１Ｅ−Ｂ】
2010537765.tif 000040
【図１１Ｅ−Ｃ】
2010537765.tif 000041
【図１１Ｆ】
2010537765.tif 000042
【国際調査報告】
2010537765.tif 000043
2010537765.tif 000044
2010537765.tif 000045